(57)【要約】装置が他の装置と装置間通信を介して通信することを可能にするための情報を示すシステム情報を取得し、端末装置への前記システム情報の送信を制御する回路を含む通信制御装置。
2016537832.tif 000002
【特許請求の範囲】
【請求項１】
装置が他の装置と装置間通信を介して通信することを可能にするための情報を示すシステム情報を取得し、
端末装置への前記システム情報の送信を制御するよう構成された回路、
を備える通信制御装置。
【請求項２】
前記システム情報は、ディスカバリ信号を送信するためのキャリアの情報を含み、前記キャリアは、複数のキャリアからのものであり、
前記複数のキャリアは、１つ以上のダウンリンクキャリアと、１つ以上のアップリンクキャリアとを含み、
前記ディスカバリ信号を送信するための前記キャリアは、前記１つ以上のアップリンクキャリアのいずれかである、
請求項１に記載の通信制御装置。
【請求項３】
前記回路は、複数のコンポーネントキャリアからのコンポーネントキャリアの情報を含むシステム情報の送信を制御する、請求項１に記載の通信制御装置。
【請求項４】
前記回路は、前記複数のコンポーネントキャリアのうちのダウンリンク信号が送信されるコンポーネントキャリアの各々における前記システム情報の送信を引き起こす、請求項３に記載の通信制御装置。
【請求項５】
前回路は、個別の端末装置へのシグナリングによる前記システム情報の送信を制御する、請求項１に記載の通信制御装置。
【請求項６】
前記個別の端末装置へのシグナリングにより送信される前記システム情報は、前記個別の端末装置の通信範囲内の端末装置がディスカバリ信号を送信するためのコンポーネントキャリアを示す、請求項５に記載の通信制御装置。
【請求項７】
ディスカバリ信号を送信するためのコンポーネントキャリアは、個別の端末装置により送信され、前記個別の端末装置が前記ディスカバリ信号を送信するための前記コンポーネントキャリアである、請求項１に記載の通信制御装置。
【請求項８】
前記ディスカバリ信号を送信するための前記キャリアは、基地局により指定されるコンポーネントキャリアである、請求項２に記載の通信制御装置。
【請求項９】
装置が他の発見された装置と装置間通信を介して通信することを可能にするための情報を示すシステム情報を取得することと、
端末装置への前記システム情報の送信をプロセッサにより制御すること、
を備える通信制御方法。
【請求項１０】
装置が他の装置と装置間通信を介して通信することを可能にするための情報を示すシステム情報を取得し、
前記システム情報に基づいてディスカバリ信号を検出するための検出処理を制御するよう構成された回路、
を備える端末装置。
【請求項１１】
前記回路は、別の端末装置により送信される前記ディスカバリ信号の検出後に、複数のコンポーネントキャリアのうちの、前記別の端末装置により前記ディスカバリ信号が送信されないコンポーネントキャリアに、前記ディスカバリ信号が中継されるように、前記ディスカバリ信号の送信を制御する、請求項１０に記載の端末装置。
【請求項１２】
前記システム情報は、前記他の装置と通信する際に前記装置により用いられる無線リソースの情報を含む、請求項１に記載の通信制御装置。
【請求項１３】
端末装置のための方法であって、
前記端末装置が他の装置と装置間通信を介して通信することを可能にするための個別の情報を回路により取得することと、
前記個別の情報の基地局への送信を前記回路により制御することと、
を備える方法。
【請求項１４】
装置が他の装置と装置間通信を介して通信することを可能にするための情報を示す情報を取得し、
前記情報に基づいてディスカバリ信号の送信を制御するよう構成された回路、
を備える端末装置。
【請求項１５】
前記ディスカバリ信号は、キャリアアグリゲーションのための複数のコンポーネントキャリアのコンポーネントキャリアで送信される、請求項１４に記載の端末装置。
【請求項１６】
前記情報は、キャリアアグリゲーションのために用いられる前記複数のコンポーネントキャリアに関する情報を含み、
前記複数のコンポーネントキャリアの各々は、アップリンクコンポーネントキャリアである、請求項１５に記載の端末装置。
【請求項１７】
前記ディスカバリ信号は、前記複数のコンポーネントキャリアの各々で送信される、請求項１５に記載の端末装置。
【請求項１８】
前記情報は、前記端末装置にとってのプライマリコンポーネントキャリアであるコンポーネントキャリアの指示を含む、請求項１７に記載の端末装置。
【請求項１９】
前記情報は、アップリンクコンポーネントキャリアであるコンポーネントキャリアの指示を含む、請求項１７に記載の端末装置。
【請求項２０】
前記装置は、ＦＤＤ（Frequency  Division  Duplex）システムのペア帯域を介して前記他の装置と通信し、
前記無線リソースは、前記ペア帯域のアップリンク帯域に対応する、請求項１２に記載の通信制御装置。
【発明の詳細な説明】
【技術分野】
【０００１】
本出願は、２０１３年１０月１８日に出願された日本出願２０１３−２１７１８８号に基づく優先権を主張し、参照により当該日本出願に記載された全ての内容が組み込まれる。
【０００２】
本開示は、通信制御装置、通信制御方法及び端末装置に関する。
【背景技術】
【０００３】
装置間通信（Ｄ２Ｄ通信）は、基地局と端末装置とが信号を送受信する一般的なセルラー通信とは異なり、２つ以上の端末装置が直接的に信号を送受信する通信である。そのため、Ｄ２Ｄ通信では、上記一般的なセルラー通信とは異なる、端末装置の新しい利用形態が生まれてくることが期待される。例えば、近接する端末装置間若しくは近接する端末装置のグループ内におけるデータ通信による情報共有、設置された端末装置からの情報の頒布、Ｍ２Ｍ（Machine  to  Machine）と呼ばれる機器間の自律通信など、様々な応用が考えられる。
【０００４】
また、近年のスマートフォンの増加による、データトラフィックの著しい増加に対して、Ｄ２Ｄ通信をデータのオフローディングに活用することも考えられる。例えば、近年、動画像のストリーミングデータの送受信に対するニーズが急速に高まっている。しかし、一般に、動画像はデータ量が多いので、ＲＡＮ（Radio  Access  Network）において多くのリソースを消費するという問題がある。したがって、端末装置間の距離が小さい場合のように、端末装置同士がＤ２Ｄ通信に適している状態であれば、動画像データをＤ２Ｄ通信にオフローディングすることにより、ＲＡＮにおけるリソースの消費及び処理の負荷を抑えることができる。このように、Ｄ２Ｄ通信は、通信事業者及びユーザの双方にとって利用価値がある。そのため、現在、Ｄ２Ｄ通信は、３ＧＰＰ（3rd  Generation  Partnership  Project）標準化会議においても、ＬＴＥ（Long  Term  Evolution）に必要な重要な技術領域の１つとして認識され、注目されている。
【０００５】
例えば、非特許文献１には、Ｄ２Ｄ通信についてのユースケースが開示されている。
【先行技術文献】
【非特許文献】
【０００６】
【非特許文献１】３ＧＰＰ  ＴＲ  ２２．８０３“3rd  Generation  Partnership  Project;  Technical  Specification  Group  Services  and  System  Aspects;  Feasibility  study  for  Proximity  Services  (ProSe)”
【発明の概要】
【発明が解決しようとする課題】
【０００７】
例えば、Ｄ２Ｄ通信を行う装置を他の装置が発見することを可能にするディスカバリ信号が、Ｄ２Ｄ通信を行う端末装置により送信される。しかし、キャリアアグリゲーションがサポートされる場合には、Ｄ２Ｄ通信を行う他の端末装置は、上記ディスカバリ信号がどのコンポーネントキャリアで送信され、受信可能であるのかが分からない。そのため、例えば、上記他の端末装置は、全てのコンポーネントキャリアで送信される信号に対して、上記ディスカバリ信号を検出するための検出処理を行うことになる。その結果、当該他の端末装置にとっての負荷が増大し得る。
【０００８】
そこで、装置間通信（Ｄ２Ｄ通信）を行う装置にとっての負荷を抑えることを可能にする仕組みが提供されることが望ましい。
【課題を解決するための手段】
【０００９】
本開示の実施形態によれば、キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得する取得部と、端末装置への上記キャリア情報の送信を制御する制御部と、を備える通信制御装置が提供される。
【００１０】
また、本開示の他の実施形態によれば、キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得することと、端末装置への上記キャリア情報の送信をプロセッサにより制御することと、を含む通信制御方法が提供される。
【００１１】
また、本開示の他の実施形態によれば、キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得する取得部と、上記キャリア情報に基づいて、上記ディスカバリ信号を検出するための検出処理を制御する制御部と、を備える端末装置が提供される。
【００１２】
また、本開示の他の実施形態によれば、端末装置であって、キャリアアグリゲーションのための複数のコンポーネントキャリアのうちの、装置間通信を行う装置を他の装置が発見することを可能にするディスカバリ信号を上記端末装置が送信するためのコンポーネントキャリアを示す個別キャリア情報を取得する取得部と、基地局への上記個別キャリア情報の送信を制御する制御部と、を備える端末装置が提供される。
【００１３】
また、本開示の他の実施形態によれば、キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得する取得部と、上記キャリア情報に基づいて、上記ディスカバリ信号の送信を制御する制御部と、を備える端末装置が提供される。
【００１４】
また、本開示の他の実施形態によれば、キャリアアグリゲーションのための複数のコンポーネントキャリアの各々に関する情報を取得する取得部と、装置間通信を行う装置を他の装置が発見することを可能にするディスカバリ信号が、上記複数のコンポーネントキャリアの各々で送信されるように、上記ディスカバリ信号の送信を制御する制御部と、を備える端末装置が提供される。
【００１５】
また、本開示の他の実施形態によれば、キャリアアグリゲーションのための複数のコンポーネントキャリアのうちの１つのコンポーネントキャリアに関する情報を取得する取得部と、上記１つのコンポーネントキャリアで送信される信号に対して、装置間通信を行う装置を他の装置が発見することを可能にするディスカバリ信号を検出するための検出処理が行われるように、上記検出処理を制御する制御部と、を備える端末装置が提供される。上記ディスカバリ信号は、上記複数のコンポーネントキャリアの各々で送信される信号である。
【００１６】
また、本開示の他の実施形態によれば、通信制御装置は、装置が他の装置と装置間通信を介して通信することを可能にするための情報を示すシステム情報を取得し、端末装置への前記システム情報の送信を制御する回路を含む。
【００１７】
また、本開示の他の実施形態によれば、端末装置は、装置が他の装置と装置間通信を介して通信することを可能にするための情報を示すシステム情報を取得し、前記システム情報に基づいてディスカバリ信号を検出するための検出処理を制御する回路を含む。
【００１８】
また、本開示の他の実施形態によれば、端末装置は、端末装置が他の装置と装置間通信を介して通信することを可能にするための個別の情報を取得し、前記個別の情報の基地局への送信を制御する回路を含む。
【００１９】
また、本開示のさらに別の実施形態によれば、端末装置は、装置が他の装置と装置間通信を介して通信することを可能にするための情報を示す情報を取得し、前記情報に基づいてディスカバリ信号の送信を制御する回路を含む。
【発明の効果】
【００２０】
以上説明したように本開示によれば、装置間通信（Ｄ２Ｄ通信）を行う装置にとっての負荷を抑えることが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００２１】
【図１】Ｄ２Ｄ通信の例を説明するための説明図である。
【図２】本開示の実施形態に係る通信システムの概略的な構成の一例を示す説明図である。
【図３】第１の実施形態に係る基地局の構成の一例を示すブロック図である。
【図４】ディスカバリ信号を送信するためのＣＣの第１の例を説明するための説明図である。
【図５】ディスカバリ信号を送信するためのＣＣの第２の例を説明するための説明図である。
【図６】第１の実施形態に係る端末装置の構成の一例を示すブロック図である。
【図７】第１の実施形態における、ディスカバリ信号を検出するための検出処理の第１の例を説明するための説明図である。
【図８】第１の実施形態における、ディスカバリ信号を検出するための検出処理の第２の例を説明するための説明図である。
【図９】第１の実施形態に係る通信制御処理の概略的な流れの一例を示すシーケンス図である。
【図１０】第１の実施形態の第１の変形例に係る通信制御処理の概略的な流れの一例を示すシーケンス図である。
【図１１】第２の実施形態に係る端末装置の構成の一例を示すブロック図である。
【図１２】第２の実施形態における、ディスカバリ信号を検出するための検出処理の一例を説明するための説明図である。
【図１３】第２の実施形態に係る通信制御処理の概略的な流れの一例を示すシーケンス図である。
【図１４】第３の実施形態に係る端末装置の構成の一例を示すブロック図である。
【図１５】第３の実施形態における、ディスカバリ信号の中継の一例を説明するための説明図である。
【図１６】第３の実施形態に係る通信制御処理の概略的な流れの一例を示すシーケンス図である。
【図１７】第３の実施形態に係る、ディスカバリ信号の転送に係る処理の概略的な流れの一例を示すフローチャートである。
【図１８】第４の実施形態に係る基地局の構成の一例を示すブロック図である。
【図１９】無線フレーム及びサブフレームを説明するための説明図である。
【図２０】リソースプールの第１の例を説明するための説明図である。
【図２１】リソースプールの第２の例を説明するための説明図である。
【図２２】リソース情報の送信の例を説明するための説明図である。
【図２３】第４の実施形態に係る端末装置の構成の一例を示すブロック図である。
【図２４】第４の実施形態に係る通信制御処理の概略的な流れの一例を示すシーケンス図である。
【図２５】本開示に係る技術が適用され得るｅＮＢの概略的な構成の第１の例を示すブロック図である。
【図２６】本開示に係る技術が適用され得るｅＮＢの概略的な構成の第２の例を示すブロック図である。
【図２７】本開示に係る技術が適用され得るスマートフォンの概略的な構成の一例を示すブロック図である。
【図２８】本開示に係る技術が適用され得るカーナビゲーション装置の概略的な構成の一例を示すブロック図である。
【発明を実施するための形態】
【００２２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００２３】
また、本明細書及び図面において、実質的に同一の機能構成を有する要素を、同一の符号の後に異なるアルファベットを付して区別する場合もある。例えば、実質的に同一の機能構成を有する複数の要素を、必要に応じて端末装置２００Ａ、２００Ｂ及び２００Ｃのように区別する。ただし、実質的に同一の機能構成を有する複数の要素の各々を特に区別する必要がない場合、同一符号のみを付する。例えば、端末装置２００Ａ、２００Ｂ及び２００Ｃを特に区別する必要が無い場合には、単に端末装置２００と称する。
【００２４】
なお、説明は以下の順序で行うものとする。
１．はじめに
２．通信システムの概略的な構成
３．第１の実施形態
３．１．基地局の構成
３．２．端末装置の構成
３．３．処理の流れ
３．４．第１の変形例
３．５．第２の変形例
４．第２の実施形態
４．１．端末装置の構成
４．２．処理の流れ
５．第３の実施形態
５．１．端末装置の構成
５．２．処理の流れ
６．第４の実施形態
６．１．基地局の構成
６．２．端末装置の構成
６．３．処理の流れ
７．応用例
７．１．基地局に関する応用例
７．２．端末装置に関する応用例
８．まとめ
【００２５】
＜＜１．はじめに＞＞
まず、図１を参照して、Ｄ２Ｄ通信に関する技術及び考察を説明する。
【００２６】
（Ｄ２Ｄ通信のユースケース）
Ｄ２Ｄ通信についてのユースケースが、３ＧＰＰのＳＡ（Service  and  Systems  Aspects）１などにおいて議論され、ＴＲ  ２２．８０３に記載されている。なお、ＴＲ  ２２．８０３には、ユースケースが開示されているものの、具体的な実現手段は開示されていない。
【００２７】
−Ｄ２Ｄ通信の用途
通常のＬＴＥのシステムでは、基地局と端末装置とが無線通信を行うが、端末装置が互いに無線通信を行うことはなかった。しかし、パブリックセーフティの用途又はその他の一般的な用途のために、端末装置が互いに直接的に無線通信を行う手法が求められている。
【００２８】
パブリックセーフティの用途として、例えば、衝突防止の警報及び火災警報などが挙げられる。パブリックセーフティの用途は緊急性に関することが多いことが想定されるので、Ｄ２Ｄ通信において反応速度が重要になると考えられる。
【００２９】
一方、その他の一般的な用途として、例えば、データオフローディングが挙げられる。Ｄ２Ｄ通信によるデータオフローディングにより、セルラー通信ネットワークへの負荷を軽減することが可能になる。
【００３０】
−カバレッジ
Ｄ２Ｄ通信は、基地局のカバレッジ内で行われてもよく、基地局のカバレッジ外で行われてもよい。あるいは、一方の端末装置が基地局のカバレッジ内に位置し、他方の端末装置が当該カバレッジ外に位置する場合に、これらの端末装置によりＤ２Ｄ通信が行われてもよい、以下、図１を参照して、ユースケースの具体例を説明する。
【００３１】
図１は、Ｄ２Ｄ通信の例を説明するための説明図である。図１を参照すると、基地局１１及び複数の端末装置２１（即ち、端末装置２１Ａ〜２１Ｆ）が示されている。Ｄ２Ｄ通信の第１の例として、基地局１１により形成されるセル１０（即ち、基地局１１のカバレッジ）内に位置する端末装置２１Ａ及び端末装置２１Ｂが、Ｄ２Ｄ通信を行う。このようなＤ２Ｄ通信をカバレッジ内のＤ２Ｄ通信と呼ぶ。Ｄ２Ｄ通信の第２の例として、セル１０外に位置する端末装置２１Ｃ及び端末装置２１Ｄが、Ｄ２Ｄ通信を行う。このようなＤ２Ｄ通信をカバレッジ外のＤ２Ｄ通信と呼ぶ。Ｄ２Ｄ通信の第３の例として、セル１０内に位置する端末装置２１Ｅと、セル１０外に位置する端末装置２１Ｆとが、Ｄ２Ｄ通信を行う。このようなＤ２Ｄ通信をパーシャルカバレッジのＤ２Ｄ通信と呼ぶ。パブリックセーフティの観点から、カバレッジ外のＤ２Ｄ通信、及びパーシャルカバレッジのＤ２Ｄ通信も重要である。
【００３２】
（Ｄ２Ｄ通信までの流れ：第１の例）
第１の例として、同期（Synchronization）、ディスカバリ（Discovery）、及び接続の確立が順に行われ、その後、Ｄ２Ｄ通信が行われる。
【００３３】
−同期
２つの端末装置が、基地局のカバレッジ（即ち、基地局により形成されるセル）内に位置する場合、上記２つの端末装置は、上記基地局からのダウンリンク信号を用いて上記基地局との同期を獲得することにより、互いにある程度同期することが可能である。
【００３４】
一方、Ｄ２Ｄ通信を行おうとする２つの端末装置のうち少なくとも一方が、基地局のカバレッジ（即ち、基地局により形成されるセル）外に位置する場合、例えば、上記２つの端末装置のうちの少なくとも一方が、Ｄ２Ｄ通信での同期のために同期信号を送信する。
【００３５】
−ディスカバリ
ディスカバリは、端末装置が他の端末装置の近くにいることを確認（identify）するプロセスである。換言すると、ディスカバリは、端末装置が他の端末装置を発見し、あるいは端末装置が他の端末装置に発見されるプロセスとも言える。
【００３６】
ディスカバリは、例えば、Ｄ２Ｄ通信を行う装置を他の装置が発見することを可能にするディスカバリ信号（Discovery  Signal）の送受信により行われる。より具体的には、例えば、２つの端末装置のうちの一方の端末装置が、ディスカバリ信号を送信し、当該２つの端末装置のうちの他方の端末装置が、当該ディスカバリ信号を受信する。そして、上記他方の端末装置は、上記一方の端末装置との通信を試みる。
【００３７】
なお、Ｄ２Ｄ通信を行おうとする２つの端末装置がディスカバリ信号の送受信の前に予め同期しておくことにより、ディスカバリ信号が適切に検出される。
【００３８】
（Ｄ２Ｄ通信までの流れ：別の例）
第２の例として、同期（Synchronization）、ディスカバリ（Discovery）、及び通知すべき意味の識別が、順に行われてもよい。
【００３９】
具体的には、例えば、ディスカバリ信号そのものに意味を持たせる手法と、別の信号で意味を伝達する手法とがあり得る。前者は、ディスカバリ信号を受信する端末装置に、通知すべき意味をディスカバリ信号の検出により即座に識別することを可能にする。この手法では、例えば、ディスカバリ信号のリソースが大きくなり得るが、即座に意味が伝達される。一方、後者は、ディスカバリ信号を受信する端末装置に、他の端末装置の存在をディスカバリ信号の検出により知ることを可能にし、通知すべき意味をさらなる信号の受信により識別することを可能にする。この手法では、意味の伝達に時間がかかるが、ディスカバリ信号自体のリソースは小さくなり得る。
【００４０】
（ディスカバリに関する負荷）
ディスカバリに関する端末装置の負荷として、ディスカバリ信号の送信の負荷と、ディスカバリ信号を検出するための検出処理の負荷とがある。ここでの負荷には、消費電力の観点での負荷、及び処理の複雑さの観点での負荷などが含まれ得る。
【００４１】
（Ｄ２Ｄ通信とキャリアアグリゲーションとの関係）
キャリアアグリゲーションをサポートする端末装置がＤ２Ｄ通信を行うことは十分に考えられる。この場合に、複数のコンポーネントキャリアのうちのどのコンポーネントキャリア（ＣＣ）でＤ２Ｄ通信を行うかということが議論になり得る。
【００４２】
例えば、ＦＤＤ（Frequency  Division  Duplex）が採用される場合に、Ｄ２Ｄ通信は、アップリンクＣＣで行われる。そして、複数のアップリンクＣＣでＤ２Ｄ通信を行うかが議論になり得る。ＦＤＤでは、ダウンリンクＣＣとアップリンクＣＣとが互いに対応し、通常、５つダウンリンクＣＣ及び対応する５つのアップリンクＣＣが使用される。非対称（asymmetric）のキャリアアグリゲーションでは、５つのダウンリンクＣＣに対してより少ない数のアップリンクＣＣ（例えば、３つのアップリンクＣＣ）が使用され得る。そのため、複数のダウンリンクＣＣが１つのアップリンクＣＣに対応し得る。このような場合にも、Ｄ２Ｄ通信はアップリンクＣＣで行われると考えられる。
【００４３】
端末装置が複数のコンポーネントキャリアを使用する場合に、当該複数のコンポーネントキャリアは、１つのプライマリコンポーネントキャリア（ＰＣＣ）と１つ以上のセカンダリコンポーネントキャリア（ＳＣＣ）とを含む。ＰＣＣでは、接続を確立するためのＮＡＳ（Non  Access  Stratum）シグナリングなどが送受信される。ＰＣＣは、ハンドオーバにより変更され得る。ＳＣＣは、ＰＣＣに追加する形で使用される。そのため、端末装置がＳＣＣのみを使用することはない。ＳＣＣは、アクティベーションにより追加され、デアクティベーションにより削除される。なお、ＰＣＣは、端末装置によって異なり得る。
【００４４】
（端末装置が使用可能な周波数帯域）
使用可能な周波数帯域は、端末装置によって異なり得る。例えば、第１の周波数帯域（２１００ＭＨｚ帯）、第２の周波数帯域（１９００ＭＨｚ帯）、及び第３の周波数帯域（１８００ＭＨｚ帯）が用意される。この場合に、例えば、第１の端末装置は、上記第１の周波数帯域及び上記第２の周波数帯域を使用可能である。また、第２の端末装置は、上記第２の周波数帯域及び上記第３の周波数帯域を使用可能である。また、第３の端末装置は、上記第３の周波数帯域を使用可能である。
【００４５】
例えば、使用可能な周波数帯域が端末装置間で異なる場合に、当該端末装置間での信号の送受信が不能であり得る。例えば、上記第１の端末装置は、上記第２の周波数帯域を使用して、上記第２の端末装置に信号を送信することができるが、上記第１の周波数帯域及び上記第２の周波数帯域のいずれを使用しても、上記第３の端末装置に信号を送信することはできない。例えば、第１の端末装置と第３の端末装置とは、パブリックセーフティの用途でのＤ２Ｄ通信を行うこともできない。
【００４６】
＜＜２．通信システムの概略的な構成＞＞
続いて、図２を参照して、本開示の実施形態に係る通信システム１の概略的な構成を説明する。図２は、本開示の実施形態に係る通信システム１の概略的な構成の一例を示す説明図である。図２を参照すると、通信システム１は、基地局１００及び複数の端末装置２００（即ち、端末装置２００Ａ及び端末装置２００Ｂ）を含む。通信システム１は、例えば、ＬＴＥ、ＬＴＥ−Ａｄｖａｎｃｅｄ、又はこれらに準ずる通信方式に従ったシステムである。
【００４７】
（基地局１００）
基地局１００は、端末装置２００との無線通信を行う。例えば、基地局１００は、セル１０内に位置する端末装置２００との無線通信を行う。
【００４８】
（端末装置２００）
端末装置２００は、基地局１００との無線通信を行う。例えば、端末装置２００は、セル１０内に位置する場合に、基地局１００との無線通信を行う。
【００４９】
とりわけ本開示の実施形態では、端末装置２００は、他の端末装置２００とのＤ２Ｄ通信を行う。例えば、端末装置２００は、セル１０（即ち、基地局１００のカバレッジ）内に位置する場合に、セル１０内に位置する他の端末装置２００とのカバレッジ内のＤ２Ｄ通信を行う。さらに、端末装置２００は、セル１０内に位置する場合に、セル１０外に位置する他の端末装置２００とのパーシャルカバレッジのＤ２Ｄ通信を行ってもよい。また、端末装置２００は、セル１０外に位置する場合に、セル１０外に位置する他の端末装置２００とのカバレッジ外のＤ２Ｄ通信を行ってもよく、セル１０内に位置する他の端末装置２００とのパーシャルカバレッジのＤ２Ｄ通信を行ってもよい。
【００５０】
なお、例えば、Ｄ２Ｄ通信のためのフレームフォーマットとして、基地局１００と端末装置２００との間の無線通信のためのフレームフォーマットが用いられる。例えば、無線フレーム及びサブフレームが、Ｄ２Ｄ通信における時間の単位として用いられる。さらに、例えば、Ｄ２Ｄ通信でも、ＯＦＤＭ（Orthogonal  Frequency  Division  Multiplexing）が用いられ、リソースブロックが無線リソースの単位として用いられる。当該リソースブロックは、周波数方向において１２サブキャリアに及び、時間方向において７ＯＦＤＭシンボルに及ぶ無線リソースである。
【００５１】
＜＜３．第１の実施形態＞＞
続いて、図３〜図１０を参照して、本開示の第１の実施形態を説明する。
【００５２】
第１の実施形態では、基地局１００が、ディスカバリ信号を送信するためのコンポーネントキャリア（ＣＣ）を示す情報を端末装置へ送信し、端末装置２００は、当該情報に基づいて、ディスカバリ信号を検出するための検出処理を行う。これにより、Ｄ２Ｄ通信を行う端末装置２００にとっての負荷を抑えることを可能になる。具体的には、例えば、ディスカバリ信号を検出する端末装置２００にとっての負荷が抑えられ、且つ、ディスカバリ信号を送信する端末装置２００にとっての負荷も抑えられる。
【００５３】
＜３．１．基地局の構成＞
まず、図３〜図５を参照して、第１の実施形態に係る基地局１００−１の構成の一例を説明する。図３は、第１の実施形態に係る基地局１００−１の構成の一例を示すブロック図である。図３を参照すると、基地局１００−１は、アンテナ部１１０、無線通信部１２０、ネットワーク通信部１３０、記憶部１４０及び処理部１５０を備える。
【００５４】
（アンテナ部１１０）
アンテナ部１１０は、無線通信部１２０により出力される信号を電波として空間に放射する。また、アンテナ部１１０は、空間の電波を信号に変換し、当該信号を無線通信部１２０へ出力する。
【００５５】
（無線通信部１２０）
無線通信部１２０は、無線通信を行う。例えば、無線通信部１２０は、セル１０内に位置する端末装置２００−１へのダウンリンク信号を送信し、セル１０内に位置する端末装置２００−１からのアップリンク信号を受信する。
【００５６】
（ネットワーク通信部１３０）
ネットワーク通信部１３０は、他の通信ノードと通信する。例えば、ネットワーク通信部１３０は、コアネットワーク及び他の基地局と通信する。
【００５７】
（記憶部１４０）
記憶部１４０は、基地局１００−１の動作のためのプログラム及びデータを一時的にまたは恒久的に記憶する。
【００５８】
（処理部１５０）
処理部１５０は、基地局１００−１の様々な機能を提供する。処理部１５０は、情報取得部１５１及び通信制御部１５３を含む。
【００５９】
（情報取得部１５１）
情報取得部１５１は、通信制御部１５３による制御のための情報を取得する。
【００６０】
とりわけ第１の実施形態では、情報取得部１５１は、キャリアアグリゲーションのための複数のＣＣのうちの、ディスカバリ信号を送信するためのＣＣを示すキャリア情報を取得する。上記ディスカバリ信号は、Ｄ２Ｄ通信を行う装置を他の装置が発見することを可能にする信号である。
【００６１】
−ディスカバリ信号を送信するためのＣＣ
第１に、例えば、複信方式としてＦＤＤが採用される。この場合に、キャリアアグリゲーションのための上記複数のＣＣは、１つ以上のダウンリンクＣＣと、１つ以上のアップリンクＣＣとを含む。そして、例えば、ディスカバリ信号を送信するための上記ＣＣは、上記１つ以上のアップリンクＣＣのいずれかである。即ち、アップリンクＣＣでディスカバリ信号が送受信される。
【００６２】
これにより、基地局１００−１と端末装置２００−１との間の通信への干渉を回避することがより容易になる。アップリンクでは、端末装置２００−１にリソースが割り当てられない限り、信号が送信されないからである。
【００６３】
第２に、例えば、ディスカバリ信号を送信するための上記ＣＣは、個別の端末装置２００−１により送信される個別キャリア情報により示されるコンポーネントキャリアであって、上記個別の端末装置２００−１がディスカバリ信号を送信するための上記ＣＣである。即ち、上記キャリア情報は、個別の端末装置２００−１がディスカバリ信号を送信するためのＣＣを示す。
【００６４】
より具体的には、例えば、後述するように、端末装置２００−１は、自装置がディスカバリ信号を送信するためのＣＣを示す個別キャリア情報を基地局１００−１へ送信する。すると、情報取得部１５１は、無線通信部１２０を介して、上記個別キャリア情報を取得する。そして、情報取得部１５１は、上記個別キャリア情報に基づいて、上記キャリア情報を生成し、当該キャリア情報を取得する。以下、図４を参照して、ディスカバリ信号を送信するためのＣＣの具体例を説明する。
【００６５】
図４は、ディスカバリ信号を送信するためのＣＣの第１の例を説明するための説明図である。図４を参照すると、６つのＣＣ１〜６が示されている。ＣＣ１、ＣＣ３及びＣＣ５の各々は、ダウンリンクＣＣであり、ＣＣ２、ＣＣ４及びＣＣ６の各々は、アップリンクＣＣである。例えば、図２に示される通信システム１において、端末装置２００Ａは、ＣＣ４でディスカバリ信号を送信し、端末装置２００Ｂが、ディスカバリ信号を送信しない。この場合に、端末装置２００Ａがディスカバリ信号を送信するためのＣＣ４を示す個別キャリア情報が、端末装置２００Ａにより基地局１００−１へ送信される。そして、情報取得部１５１は、当該個別キャリア情報に基づいて、ＣＣ４を示すキャリア情報を生成し、当該キャリア情報を取得する。
【００６６】
図４に示される例では、１つの端末装置２００−１（即ち端末装置２００Ａ）がディスカバリ信号を送信するが、第１の実施形態は係る例に限定されない。例えば、２つ以上の端末装置２００−１がディスカバリ信号を送信し得る。以下、この点について図５を参照して具体例を説明する。
【００６７】
図５は、ディスカバリ信号を送信するためのＣＣの第２の例を説明するための説明図である。図５を参照すると、図４と同様に、６つのＣＣ１〜６が示されている。上述したように、端末装置２００Ａは、ＣＣ４でディスカバリ信号を送信する。さらに、通信システム１は、端末装置２００Ｃをさらに含み、端末装置２００Ｃは、ＣＣ６でディスカバリ信号を送信する。この場合に、端末装置２００Ａがディスカバリ信号を送信するためのＣＣ４を示す第１の個別キャリア情報が、端末装置２００Ａにより基地局１００−１へ送信される。また、端末装置２００Ｃがディスカバリ信号を送信するためのＣＣ６を示す第２の個別キャリア情報が、端末装置２００Ｃにより基地局１００−１へ送信される。そして、情報取得部１５１は、上記第１の個別キャリア情報及び上記第２の個別キャリア情報に基づいて、例えば、ＣＣ４及びＣＣ６を示すキャリア情報を生成し、当該キャリア情報を取得する。
【００６８】
図４及び図５の例では、１つの端末装置２００−１（即ち、端末装置２００Ａ又は端末装置２００Ｃ）が１つのＣＣでディスカバリ信号を送信するが、第１の実施形態は係る例に限定されない。１つの端末装置２００−１が２つ以上のＣＣでディスカバリ信号を送信してもよい。例えば、図４に示される例において、端末装置２００Ａは、ＣＣ４に加えてＣＣ２でもディスカバリ信号を送信してもよい。そして、端末装置２００Ａにより基地局１００−１へ送信される上記個別キャリア情報は、ＣＣ２及びＣＣ４を示してもよく、その結果、上記キャリア情報は、ＣＣ２及びＣＣ４を示してもよい。
【００６９】
なお、上記キャリア情報は、セル１０ごとに生成されてもよく、又はセル１０よりも小さい領域ごとに生成されてもよい。
【００７０】
（通信制御部１５３）
通信制御部１５３は、無線通信に関する制御を行う。
【００７１】
とりわけ第１の実施形態では、通信制御部１５３は、端末装置２００−１への上記キャリア情報の送信を制御する。即ち、通信制御部１５３による制御に応じて、基地局１００−１は、上記キャリア情報を端末装置２００−１へ送信する。
【００７２】
これにより、Ｄ２Ｄ通信を行う端末装置２００−１にとっての負荷を抑えることを可能になる。具体的には、例えば、ディスカバリ信号を検出する端末装置２００にとっての負荷が抑えられ、且つ、ディスカバリ信号を送信する端末装置２００にとっての負荷も抑えられ得る。
【００７３】
例えば、キャリア情報により、端末装置２００−１は、どのＣＣでディスカバリ信号が送信されるかを知ることが可能になる。そのため、端末装置２００−１は、ディスカバリ信号が送信されるＣＣで送信される信号に対して、ディスカバリ信号を検出するための検出処理を行えばよく、その他のＣＣで送信される信号に対して、上記検出処理を行わなくてもよい。即ち、端末装置２００−１は、限定されたＣＣで上記検出処理を行えばよい。そのため、ディスカバリ信号を検出する端末装置２００−１にとっての負荷が抑えられ得る。
【００７４】
また、例えば、ディスカバリ信号を送信する端末装置２００−１は、他の端末装置２００−１によるディスカバリ信号の素早く容易な検出のために全てのＣＣでディスカバリ信号を送信する必要もない。即ち、端末装置２００−１は、限定されたＣＣでディスカバリ信号を送信してもよい。そのため、ディスカバリ信号を送信する端末装置２００−１にとっての負荷が抑えられ得る。
【００７５】
−第１の手法（システム情報）
第１の例として、通信制御部１５３は、上記キャリア情報を含むシステム情報の送信を制御する。即ち、上記キャリア情報は、システム情報に含まれる情報であり、通信制御部１５３による制御に応じて、基地局１００−１は、上記キャリア情報を含む上記システム情報を送信する。
【００７６】
具体的な処理として、例えば、通信制御部１５３は、上記キャリア情報を含むシステム情報の信号を、当該システム情報に割り当てられる無線リソースにマッピングする。その結果、上記キャリア情報は、システム情報の一部として送信される。
【００７７】
これにより、例えば、端末装置２００−１は、アイドル状態（例えば、ＲＲＣアイドル（Radio  Resource  Control  Idle））である場合でも、ディスカバリ信号が送信されるＣＣを知ることが可能になる。そのため、接続状態（例えば、ＲＲＣ接続（Radio  Resource  Control  Connected））の端末装置２００−１にとっての負荷のみではなく、アイドル状態の端末装置２００−１にとっての負荷も、抑えられ得る。
【００７８】
また、上記キャリア情報を含む上記システム情報の送信により、多数の端末装置２００−１がセル１０内に存在するとしても当該多数の端末装置２００−１へ一括で上記キャリア情報が送信される。そのため、端末装置２００−１の数に応じたオーバーヘッドの増大が回避され得る。
【００７９】
さらに、例えば、通信制御部１５３は、上記複数のＣＣのうちのダウンリンク信号が送信されるＣＣの各々で上記システム情報が送信されるように、上記システム情報の送信を制御する。即ち、通信制御部１５３による制御に応じて、基地局１００−１は、ダウンリンク信号が送信されるＣＣの各々で、上記キャリア情報を含むシステム情報を送信する。
【００８０】
これにより、例えば、端末装置２００−１は、ダウンリンク信号が送信されるＣＣのうちのいずれを使用していたとしても、上記キャリア情報を含む上記システム情報を取得し、ディスカバリ信号が送信されるＣＣを知ることが可能になる。
【００８１】
なお、例えば、複信方式としてＦＤＤが採用され、この場合に、ダウンリンク信号が送信される上記ＣＣは、上記複数のＣＣのうちのダウンリンクＣＣである。図４を再び参照すると、例えば、上記キャリア情報を含む上記システム情報は、ＣＣ１、ＣＣ３及びＣＣ５の各々で送信される。一方、複信方式としてＴＤＤが採用されてもよく、この場合に、ダウンリンク信号が送信される上記ＣＣは、上記複数のＣＣそのものであってもよい。
【００８２】
−第２の手法（シグナリング）
第２の例として、通信制御部１５３は、個別の端末装置２００−１へのシグナリングによる上記キャリア情報の送信を制御してもよい。即ち、通信制御部１５３による制御に応じて、基地局１００−１は、個別の端末装置２００−１へのシグナリングにより上記キャリア情報を送信してもよい。
【００８３】
具体的な処理として、例えば、通信制御部１５３は、個別の端末装置２００−１へのシグナリングのための無線リソースに、上記キャリア情報の信号をマッピングする。その結果、上記キャリア情報は、個別の端末装置２００−１へのシグナリングにより送信される。
【００８４】
これにより、例えば、上記キャリア情報の送信にシステム情報が使用されない。そのため、システム情報のための貴重な無線リソースの消費が回避され得る。
【００８５】
また、シグナリングによる上記キャリア情報の送信により、例えば、Ｄ２Ｄ通信を行わない端末装置にとっての負荷を抑えることが可能になる。より具体的には、上記キャリア情報がシステム情報に含まれる場合には、上記キャリア情報が変わると（即ち、ディスカバリ信号が送信されるＣＣが変わると）、Ｄ２Ｄ通信を行わない端末装置も、システム情報を確認する。そのため、上記キャリア情報がシステム情報に含まれる場合には、Ｄ２Ｄ通信を行わない端末装置にとっての負荷が増大し得る。しかし、シグナリングによる上記キャリア情報の送信によれば、このような負荷は発生しない。よって、Ｄ２Ｄ通信を行わない端末装置にとっての負荷が抑えられ得る。
【００８６】
さらに、個別の端末装置２００−１へのシグナリングにより送信される上記キャリア情報は、個別の端末装置２００−１の近傍に位置する端末装置２００−１がディスカバリ信号を送信するためのＣＣを示してもよい。
【００８７】
図５を再び参照すると、例えば、ある端末装置２００−１へのシグナリングにより送信されるキャリア情報は、上記ある端末装置２００−１の近傍に位置する端末装置２００Ａがディスカバリ信号を送信するためのＣＣ４を示してもよい。また、別の端末装置２００−１へのシグナリングにより送信されるキャリア情報は、上記別の端末装置２００−１の近傍に位置する端末装置２００Ｃがディスカバリ信号を送信するためのＣＣ６を示してもよい。
【００８８】
これにより、例えば、ディスカバリ信号を検出する端末装置２００−１は、近傍に位置する端末装置２００−１がディスカバリ信号を送信するためのＣＣで送信される信号に対して、ディスカバリ信号を検出するための検出処理を行えばよい。そのため、ディスカバリ信号を検出する端末装置２００−１にとっての負荷がさらに抑えられる。
【００８９】
なお、どの端末装置２００−１が互いに近傍に位置するかは、端末装置２００−１の位置情報に基づいて決定されてもよい。また、当該位置情報は、端末装置２００−１により提供されるＧＰＳ（Global  Positioning  System）情報であってもよい。あるいは、上記位置情報は、ＬＴＥにおけるＴＡ（Timing  Advance）及びＡＯＡ（Angle  of  Arrival)）などによる測位により生成されてもよく、又は、複数の基地局による端末装置２００−１の測位により生成されてもよい。
【００９０】
＜３．２．端末装置の構成＞
次に、図６〜図８を参照して、第１の実施形態に係る端末装置２００−１の構成の一例を説明する。図６は、第１の実施形態に係る端末装置２００−１の構成の一例を示すブロック図である。図６を参照すると、端末装置２００−１は、アンテナ部２１０、無線通信部２２０、記憶部２３０、入力部２４０、表示部２５０及び処理部２６０を備える。
【００９１】
（アンテナ部２１０）
アンテナ部２１０は、無線通信部２２０により出力される信号を電波として空間に放射する。また、アンテナ部２１０は、空間の電波を信号に変換し、当該信号を無線通信部２２０へ出力する。
【００９２】
（無線通信部２２０）
無線通信部２２０は、無線通信を行う。例えば、無線通信部２２０は、端末装置２００がセル１０内に位置する場合に、基地局１００からのダウンリンク信号を受信し、基地局１００へのアップリンク信号を送信する。また、例えば、無線通信部２２０は、Ｄ２Ｄ通信において、他の端末装置２００からの信号を受信し、他の端末装置２００への信号を送信する。
【００９３】
（記憶部２３０）
記憶部２３０は、端末装置２００の動作のためのプログラム及びデータを一時的にまたは恒久的に記憶する。
【００９４】
（入力部２４０）
入力部２４０は、端末装置２００のユーザによる入力を受け付ける。そして、入力部２４０は、入力結果を処理部２６０に提供する。
【００９５】
（表示部２５０）
表示部２５０は、端末装置２００からの出力画面（即ち、出力画像）を表示する。例えば、表示部２５０は、処理部２６０（表示制御部２６５）による制御に応じて、出力画面を表示する。
【００９６】
（処理部２６０）
処理部２６０は、端末装置２００−１の様々な機能を提供する。処理部２６０は、情報取得部２６１、通信制御部２６３及び表示制御部２６５を含む。
【００９７】
（情報取得部２６１）
情報取得部２６１は、通信制御部２６３による制御のための情報を取得する。
【００９８】
−端末装置がディスカバリ信号を送信するケース
例えば、端末装置２００−１は、ディスカバリ信号を送信する。この場合に、とりわけ第１の実施形態では、例えば、情報取得部２６１は、キャリアアグリゲーションのための複数のＣＣのうちのディスカバリ信号を端末装置２００−１が送信するためのＣＣを示す個別キャリア情報を取得する。
【００９９】
例えば、上記個別キャリア情報が、記憶部２３０に記憶されている。そして、情報取得部２６１は、記憶部２３０から、上記個別キャリア情報を取得する。
【０１００】
一例として、図４の例を再び参照すると、端末装置２００Ａは、ＣＣ１〜６のうちのＣＣ４でディスカバリ信号を送信する。この場合に、端末装置２００Ａの情報取得部２６１は、ＣＣ４を示す個別キャリア情報を取得する。
【０１０１】
また、別の例として、図５の例を再び参照すると、端末装置２００Ｃは、ＣＣ１〜６のうちのＣＣ６でディスカバリ信号を送信する。この場合に、端末装置２００Ｃの情報取得部２６１は、ＣＣ６を示す個別キャリア情報を取得する。
【０１０２】
−端末装置がディスカバリ信号を検出するケース
例えば、端末装置２００−１は、ディスカバリ信号を検出するための検出処理を行う。この場合に、とりわけ第１の実施形態では、情報取得部２６１は、上記キャリア情報を取得する。上述したように、当該キャリア情報は、キャリアアグリゲーションのための複数のＣＣのうちのディスカバリ信号を送信するためのＣＣを示す情報である。
【０１０３】
例えば、上記キャリア情報が、基地局１００により送信されると、情報取得部２６１は、無線通信部２２０を介して、上記キャリア情報を取得する。
【０１０４】
一例として、図４の例を再び参照すると、端末装置２００Ａが、ＣＣ１〜６のうちのＣＣ４でディスカバリ信号を送信する。この場合に、端末装置２００Ｂの情報取得部２６１は、ＣＣ４を示すキャリア情報を取得する。
【０１０５】
また、別の例として、図５の例を再び参照すると、端末装置２００Ａが、ＣＣ１〜６のうちのＣＣ４でディスカバリ信号を送信し、端末装置２００Ｃが、ＣＣ１〜６のうちのＣＣ６でディスカバリ信号を送信する。この場合に、端末装置２００Ｂの情報取得部２６１は、ＣＣ４及びＣＣ６を示すキャリア情報を取得する。
【０１０６】
（通信制御部２６３）
通信制御部２６３は、端末装置２００−１の無線通信に関する制御を行う。
【０１０７】
−端末装置がディスカバリ信号を送信するケース
例えば、端末装置２００−１は、ディスカバリ信号を送信する。
【０１０８】
−−個別キャリア情報の送信の制御
とりわけ第１の実施形態では、例えば、通信制御部２６３は、基地局１００−１への上記個別キャリア情報の送信を制御する。即ち、通信制御部２６３による制御に応じて、端末装置２００−１は、上記個別キャリア情報を基地局１００−１へ送信する。
【０１０９】
具体的な処理として、例えば、通信制御部２６３は、端末装置２００−１に割り当てられたアップリンクの無線リソースに、上記個別キャリア情報の信号をマッピングする。その結果、上記個別キャリア情報は、基地局１００−１へ送信される。
【０１１０】
−−ディスカバリ信号の送信の制御
また、例えば、通信制御部２６３は、ディスカバリ信号の送信を制御する。
【０１１１】
例えば、通信制御部２６３は、端末装置２００−１がディスカバリ信号を送信するためのＣＣでディスカバリ信号が送信され、その他のＣＣではディスカバリ信号が送信されないように、ディスカバリ信号の送信を制御する。
【０１１２】
具体的な処理として、例えば、通信制御部２６３は、ディスカバリ信号の送信のための無線リソースに、ディスカバリ信号をマッピングする。その結果、ディスカバリ信号が送信される。
【０１１３】
なお、上述したように、端末装置２００−１は、１つのＣＣでディスカバリ信号を送信してもよく、又は２つ以上のＣＣでディスカバリ信号を送信してもよい。
【０１１４】
−端末装置がディスカバリ信号を検出するケース
例えば、端末装置２００−１は、ディスカバリ信号を検出するための検出処理を行う。この場合に、とりわけ第１の実施形態では、通信制御部２６３は、上記キャリア情報に基づいて、ディスカバリ信号を検出するための検出処理を制御する。即ち、通信制御部２６３による上記キャリア情報に基づく制御に応じて、端末装置２００−１は、上記検出処理を行う。
【０１１５】
具体的には、例えば、通信制御部２６３は、上記キャリア情報により示されるＣＣで送信される信号に対して上記検出処理が行われ、他のＣＣで送信されるＣＣに対して上記検出処理が行われないように、上記検出処理を制御する。以下、この点について、図７及び図８を参照して具体例を説明する。
【０１１６】
図７は、第１の実施形態における、ディスカバリ信号を検出するための検出処理の第１の例を説明するための説明図である。図７を参照すると、図４と同様に、６つのＣＣ１〜６が示されている。例えば、図４を参照して上述したように、端末装置２００Ａは、ＣＣ４でディスカバリ信号を送信し、上記キャリア情報は、ＣＣ４を示す。この場合に、端末装置２００Ｂの通信制御部２６３による制御に応じて、端末装置２００Ｂは、ＣＣ４で送信される信号に対して、ディスカバリ信号を検出するための検出処理を行い、その他のＣＣで送信される信号に対しては、上記検出処理を行わない。
【０１１７】
図８は、第１の実施形態における、ディスカバリ信号を検出するための検出処理の第２の例を説明するための説明図である。図８を参照すると、図５と同様に、６つのＣＣ１〜６が示されている。例えば、図５を参照して上述したように、端末装置２００Ａは、ＣＣ４でディスカバリ信号を送信し、端末装置２００Ｃは、ＣＣ６でディスカバリ信号を送信し、上記キャリア情報は、ＣＣ４及びＣＣ６を示す。この場合に、端末装置２００Ｂの通信制御部２６３による制御に応じて、端末装置２００Ｂは、ＣＣ４及びＣＣ６で送信される信号に対して、上記検出処理を行い、その他のＣＣで送信される信号に対しては、上記検出処理を行わない。
【０１１８】
（表示制御部２６５）
表示制御部２６５は、表示部２５０による出力画面の表示を制御する。例えば、表示制御部２６５は、表示部２５０により表示される出力画面を生成し、当該出力画面を表示部２５０に表示させる。
【０１１９】
＜３．３．処理の流れ＞
次に、図９を参照して、第１の実施形態に係る通信制御処理の一例を説明する。図９は、第１の実施形態に係る通信制御処理の概略的な流れの一例を示すシーケンス図である。
【０１２０】
端末装置２００Ａは、キャリアアグリゲーションのための複数のＣＣのうちのディスカバリ信号を端末装置２００Ａが送信するためのＣＣを示す個別キャリア情報を、基地局１００−１へ送信する（Ｓ３０１）。
【０１２１】
すると、基地局１００−１は、個別キャリア情報に基づいて、上記複数のＣＣのうちのディスカバリ信号を送信するためのＣＣを示すキャリア情報を生成する（Ｓ３０３）。そして、基地局１００−１は、当該キャリア情報を端末装置２００Ｂへ送信する（Ｓ３０５）。例えば、基地局１００−１は、上記キャリア情報を含むシステム情報を送信する。なお、当該キャリア情報は、端末装置２００Ａにも送信され得る。
【０１２２】
その後、端末装置２００Ｂは、上記キャリア情報に基づく検出処理（ディスカバリ信号を検出するための検出処理）の制御を開始する（Ｓ３０７）。具体的には、端末装置２００Ｂは、上記キャリア情報により示されるＣＣで送信される信号に対する上記検出処理を開始する。
【０１２３】
そして、端末装置２００Ａは、端末装置２００Ａがディスカバリ信号を送信するためのＣＣで、ディスカバリ信号を送信し（Ｓ３０９）、端末装置２００Ｂは、当該ディスカバリ信号を検出する（Ｓ３１１）。
【０１２４】
＜３．４．第１の変形例＞
次に、第１の実施形態の第１の変形例を説明する。上述した第１の実施形態の例では、上記キャリア情報により示されるＣＣ（即ち、ディスカバリ信号を送信するためのＣＣ）は、個別の端末装置２００−１により送信される個別キャリア情報により示されるＣＣである。一方、第１の実施形態の第１の変形例では、上記キャリア情報により示されるＣＣ（即ち、ディスカバリ信号を送信するためのＣＣ）は、基地局１００−１により指定されるＣＣである
【０１２５】
（基地局１００−１：情報取得部１５１）
−ディスカバリ信号を送信するためのＣＣ
とりわけ第１の実施形態の第１の変形例では、ディスカバリ信号を送信するための上記ＣＣ（即ち、上記キャリア情報により示されるＣＣ）は、基地局１００−１により指定されるＣＣである。
【０１２６】
例えば、上記キャリア情報が、記憶部１４０に記憶されている。そして、情報取得部１５１は、記憶部１４０から、上記キャリア情報を取得する。
【０１２７】
一例として、通信システム１のオペレータは、基地局１００−１が指定するＣＣとして、上記複数のＣＣのうちのいずれかのＣＣを選択する。そして、上記オペレータは、例えば、選択されたＣＣを示すキャリア情報を記憶部１４０に記憶させる。そして、情報取得部１５１は、記憶部１４０から、上記キャリア情報を取得する。
【０１２８】
別の例として、基地局１００−１は、自動で、上記複数のＣＣのうちのいずれかのＣＣを、ディスカバリ信号を送信するためのＣＣとして指定してもよい。例えば、基地局１００−１は、複数のＣＣにおけるトラフィックの状況に基づいて、上記複数のうちのいずれかのＣＣを指定してもよい。そして、基地局１００−１は、指定されたＣＣを示すキャリア情報を記憶部１４０に記憶してもよく、情報取得部１５１は、記憶部１４０から上記キャリア情報を取得してもよい。
【０１２９】
（端末装置２００−１：情報取得部２６１）
−端末装置がディスカバリ信号を送信するケース
例えば、端末装置２００−１は、ディスカバリ信号を送信する。この場合に、とりわけ第１の実施形態の第１の変形例では、例えば、情報取得部２６１は、上記キャリア情報を取得する。この点については、端末装置２００−１がディスカバリ信号を検出するケースに関連して上述したとおりである。
【０１３０】
なお、第１の実施形態の第１の変形例では、情報取得部２６１は、上記個別キャリア情報を取得しなくてもよい。
【０１３１】
（端末装置２００−１：通信制御部２６３）
−端末装置がディスカバリ信号を送信するケース
例えば、端末装置２００−１は、ディスカバリ信号を送信する。
【０１３２】
−−個別キャリア情報の送信の制御
第１の実施形態の第１の変形例では、上記個別キャリア情報は、基地局１００−１へ送信されなくてもよい。即ち、通信制御部２６３は、上記個別キャリア情報の送信を制御しなくてもよい。
【０１３３】
−−ディスカバリ信号の送信の制御
例えば、通信制御部２６３は、ディスカバリ信号の送信を制御する。
【０１３４】
とりわけ第１の実施形態の第１の変形例では、通信制御部２６３は、上記キャリア情報に基づいて、ディスカバリ信号の送信を制御する。
【０１３５】
例えば、通信制御部２６３は、上記キャリア情報により示されるＣＣでディスカバリ信号が送信され、その他のＣＣではディスカバリ信号が送信されないように、ディスカバリ信号の送信を制御する。
【０１３６】
（処理の流れ）
図１０は、第１の実施形態の第１の変形例に係る通信制御処理の概略的な流れの一例を示すシーケンス図である。
【０１３７】
基地局１００−１は、上記複数のＣＣのうちのディスカバリ信号を送信するためのＣＣを示すキャリア情報を端末装置２００Ａ及び端末装置２００Ｂへ送信する（Ｓ３３１、Ｓ３３３）。例えば、基地局１００−１は、上記キャリア情報を含むシステム情報を送信する。
【０１３８】
その後、端末装置２００Ｂは、上記キャリア情報に基づく検出処理（ディスカバリ信号を検出するための検出処理）の制御を開始する（Ｓ３３５）。具体的には、端末装置２００Ｂは、上記キャリア情報により示されるＣＣで送信される信号に対する上記検出処理を開始する。
【０１３９】
そして、端末装置２００Ａは、上記キャリア情報により示されるＣＣで、ディスカバリ信号を送信し（Ｓ３３７）、端末装置２００Ｂは、当該ディスカバリ信号を検出する（Ｓ３３９）。
【０１４０】
＜３．５．第２の変形例＞
次に、第１の実施形態の第２の変形例を説明する。
【０１４１】
上述した第１の実施形態の例では、（基地局１００−１により端末装置２００−１へ送信される）キャリア情報は、キャリアアグリゲーションのための複数のＣＣのうちの、ディスカバリ信号を送信するためのＣＣを示す情報である。しかし、第１の実施形態は係る例に限定されない。
【０１４２】
第１の実施形態の第２の変形例では、（基地局１００−１により端末装置２００−１へ送信される）キャリア情報は、キャリアアグリゲーションのための複数のＣＣのうちの、Ｄ２Ｄ通信に関する信号（以下、「Ｄ２Ｄ関連信号」と呼ぶ）を送信するためのＣＣを示す情報である。換言すると、第２の変形例では、上記キャリア情報は、キャリアアグリゲーションのための複数のＣＣのうちの、Ｄ２Ｄ通信のために使用可能なＣＣを示す情報である。
【０１４３】
（Ｄ２Ｄ関連信号）
例えば、上記Ｄ２Ｄ関連信号は、Ｄ２Ｄ通信の信号を含む。より具体的には、例えば、上記Ｄ２Ｄ関連信号は、Ｄ２Ｄ通信のデータ信号及び／又は制御信号を含む。
【０１４４】
例えば、上記Ｄ２Ｄ関連信号は、Ｄ２Ｄ通信の開始のための信号を含む。より具体的には、例えば、上記Ｄ２Ｄ関連信号は、同期のための信号（例えば、同期信号）、ディスカバリのための信号（例えば、ディスカバリ信号）、及び／又は接続確立のための制御信号（例えば、接続確立手続きのメッセージの信号）などを含む。
【０１４５】
（具体的な動作の説明）
なお、上述した第１の実施形態の例（及び第１の実施形態の第１の変形例）では、対象の信号がディスカバリ信号であり、第１の実施形態の第２の変形例では、対象の信号がＤ２Ｄ関連信号であるという点を除き、上述した第１の実施形態の例（及び第１の実施形態の第１の変形例）の説明と、第１の実施形態の第２の変形例の説明との間に差異はない。よって、ここでは重複する説明を省略する。
【０１４６】
なお、第１の実施形態の第２の変形例の説明のために、上述した第１の実施形態の例（及び第１の実施形態の第１の変形例）の説明において、「ディスカバリ信号」（即ち、「Ｄ２Ｄ通信を行う装置を他の装置が発見することを可能にするディスカバリ信号」）は、「Ｄ２Ｄ関連信号」（即ち、「Ｄ２Ｄ通信に関する信号」）に置きかえられる。
【０１４７】
例えば、基地局１００−１について、第１の実施形態の第２の変形例では、情報取得部１５１は、キャリアアグリゲーションのための複数のＣＣのうちの、Ｄ２Ｄ関連信号を送信するためのＣＣを示すキャリア情報を取得する。通信制御部１５３は、端末装置２００−１への上記キャリア情報の送信を制御する。
【０１４８】
例えば、端末装置２００−１について、第１の実施形態の第２の変形例では、情報取得部２６１は、キャリアアグリゲーションのための複数のＣＣのうちの、Ｄ２Ｄ関連信号を送信するためのＣＣを示すキャリア情報を取得する。通信制御部２６３は、上記キャリア情報に基づいて、Ｄ２Ｄ関連信号の送信を制御する。
【０１４９】
これにより、Ｄ２Ｄ通信を行う装置にとっての負荷を抑えることが可能となる。
【０１５０】
＜＜４．第２の実施形態＞＞
続いて、図１１〜図１３を参照して、本開示の第２の実施形態を説明する。
【０１５１】
第２の実施形態では、ディスカバリ信号を送信する端末装置２００は、キャリアアグリゲーションのための複数のＣＣの各々でディスカバリ信号を送信する。そして、ディスカバリ信号を検出する端末装置２００は、上記複数のＣＣのうちの１つのＣＣで送信される信号に対して、ディスカバリ信号を検出するための検出処理を行う。これにより、Ｄ２Ｄ通信を行う端末装置２００にとっての負荷を抑えることを可能になる。具体的には、例えば、ディスカバリ信号を検出する端末装置２００にとっての負荷が抑えられる。
【０１５２】
＜４．１．端末装置の構成＞
まず、図１１及び図１２を参照して、第２の実施形態に係る端末装置２００−２の構成の一例を説明する。図１１は、第２の実施形態に係る端末装置２００−２の構成の一例を示すブロック図である。図１１を参照すると、端末装置２００−２は、アンテナ部２１０、無線通信部２２０、記憶部２３０、入力部２４０、表示部２５０及び処理部２７０を備える。
【０１５３】
なお、アンテナ部２１０、無線通信部２２０、記憶部２３０、入力部２４０、表示部２５０、及び、表示制御部２６５については、第１の実施形態と第２の実施形態との間で差異はない。よって、ここでは、処理部２７０に含まれる情報取得部２７１及び通信制御部２７３のみを説明する。
【０１５４】
（情報取得部２７１）
情報取得部２７１は、通信制御部２７３による制御のための情報を取得する。
【０１５５】
−端末装置がディスカバリ信号を送信するケース
例えば、端末装置２００−２は、ディスカバリ信号を送信する。この場合に、例えば、情報取得部２７１は、キャリアアグリゲーションのための複数のＣＣの各々に関する情報を取得する。
【０１５６】
例えば、複信方式としてＦＤＤが採用される。この場合に、例えば、上記複数のＣＣの各々は、アップリンクＣＣである。
【０１５７】
例えば、上記複数のＣＣの各々に関する情報は、基地局１００−２により送信される。一例として、上記複数のＣＣの各々に関する情報は、上記複数のＣＣの各々の帯域幅の情報、上記複数のＣＣの各々の中心周波数の情報、及び／又は、上記複数のＣＣの各々を識別するための識別情報などを含んでもよい。
【０１５８】
−端末装置がディスカバリ信号を検出するケース
例えば、端末装置２００−２は、ディスカバリ信号を検出するための検出処理を行う。この場合に、例えば、情報取得部２７１は、キャリアアグリゲーションのための複数のＣＣのうちの１つのＣＣに関する情報を取得する。
【０１５９】
また、例えば、上記１つのＣＣは、端末装置２００−２にとってのプライマリコンポーネントキャリア（ＰＣＣ）である。また、例えば、上記１つのＣＣは、アップリンクＣＣである。即ち、上記１つのＣＣは、アップリンクＰＣＣである。
【０１６０】
例えば、上記１つのＣＣに関する上記情報は、基地局１００−２により送信される。一例として、上記１つのＣＣに関する上記情報は、上記１つのＣＣの帯域幅の情報、上記１つのＣＣの中心周波数の情報、及び／又は、上記１つのＣＣを識別するための識別情報などを含んでもよい。
【０１６１】
（通信制御部２７３）
通信制御部２７３は、端末装置２００−２の無線通信に関する制御を行う。
【０１６２】
−端末装置がディスカバリ信号を送信するケース
例えば、端末装置２００−２は、ディスカバリ信号を送信する。この場合に、とりわけ第２の実施形態では、通信制御部２７３は、ディスカバリ信号が上記複数のＣＣの各々で送信されるように、上記ディスカバリ信号の送信を制御する。即ち、通信制御部２７３による制御に応じて、端末装置２００−２は、上記複数のＣＣの各々でディスカバリ信号を送信する。
【０１６３】
上述したように、例えば、複信方式としてＦＤＤが採用され、上記複数のＣＣの各々は、アップリンクＣＣである。この場合に、通信制御部２７３による制御に応じて、端末装置２００−２は、上記複数のアップリンクＣＣの各々でディスカバリ信号を送信する。これにより、基地局１００−２と端末装置２００−２との間の通信への干渉を回避することがより容易になる。アップリンクでは、端末装置２００−２にリソースが割り当てられない限り、信号が送信されないからである。
【０１６４】
具体的な処理として、例えば、通信制御部２７３は、上記複数のＣＣ（例えば、複数のアップリンクＣＣ）の各々における、ディスカバリ信号の送信のための無線リソースに、ディスカバリ信号をマッピングする。その結果、上記複数のＣＣの各々においてディスカバリ信号が送信される。
【０１６５】
これにより、例えば、複数のＣＣ（例えば、複数のアップリンクＣＣ）の各々においてディスカバリ信号を検出することが可能になる。そのため、ディスカバリ信号を検出するための検出処理は、いずれか１つのＣＣで送信される信号に対して行われればよく、その他のＣＣで送信される信号に対しては行われなくてもよい。よって、ディスカバリ信号を検出する端末装置２００−２にとっての負荷が抑えられる。
【０１６６】
−端末装置がディスカバリ信号を検出するケース
例えば、端末装置２００−１は、ディスカバリ信号を検出するための検出処理を行う。この場合に、とりわけ第２の実施形態では、通信制御部２７３は、上記複数のＣＣのうちの上記１つのＣＣで送信される信号に対して、ディスカバリ信号を検出するための検出処理が行われるように、当該検出処理を制御する。即ち、通信制御部２７３による制御に応じて、端末装置２００−２は、上記１つのＣＣで送信される信号に対して、上記検出処理を行う。
【０１６７】
上述したように、例えば、上記１つのＣＣは、端末装置２００−２にとってのＰＣＣである。また、例えば、上記１つのＣＣは、アップリンクＣＣである。即ち、上記１つのＣＣは、アップリンクＰＣＣである。この場合に、通信制御部２７３による制御に応じて、端末装置２００−２は、アップリンクＰＣＣで送信される信号に対して、上記検出処理を行う。以下、この点について図１２を参照して具体例を説明する。
【０１６８】
図１２は、第２の実施形態における、ディスカバリ信号を検出するための検出処理の一例を説明するための説明図である。図１２を参照すると、６つのＣＣ１〜６が示されている。ＣＣ１、ＣＣ３及びＣＣ５の各々は、ダウンリンクＣＣであり、ＣＣ２、ＣＣ４及びＣＣ６の各々は、アップリンクＣＣである。例えば、図２に示される通信システム１において、端末装置２００Ａは、ＣＣ４でディスカバリ信号を送信し、端末装置２００Ｂが、ディスカバリ信号を送信しない。この場合に、端末装置２００Ａの通信制御部２７３による制御に応じて、端末装置２００Ａは、複数のアップリンクＣＣ、即ち、ＣＣ２、ＣＣ４及びＣＣ６で、ディスカバリ信号を送信する。また、端末装置２００ＢにとってのアップリンクＰＣＣは、ＣＣ４である。この場合に、端末装置２００Ｂの通信制御部２７３による制御に応じて、端末装置２００Ｂは、ＣＣ４で送信される信号に対して、ディスカバリ信号を検出するための検出処理を行い、その他のＣＣで送信される信号に対しては、上記検出処理を行わない。
【０１６９】
これにより、例えば、ディスカバリ信号を検出する端末装置２００−２にとっての負荷が抑えられる。
【０１７０】
＜４．２．処理の流れ＞
次に、図１３を参照して、第２の実施形態に係る通信制御処理の一例を説明する。図１３は、第２の実施形態に係る通信制御処理の概略的な流れの一例を示すシーケンス図である。
【０１７１】
端末装置２００Ａは、キャリアアグリゲーションのための複数のＣＣの各々でディスカバリ信号を送信する（Ｓ４０１）。例えば、上記複数のＣＣの各々は、アップリンクＣＣである。
【０１７２】
端末装置２００Ｂは、上記複数のＣＣのうちの端末装置２００ＢにとってのＰＣＣで送信される信号に対して、ディスカバリ信号を検出するための検出処理を行い、ＰＣＣで送信されるディスカバリ信号を検出する（Ｓ４０３）。
【０１７３】
＜＜５．第３の実施形態＞＞
続いて、図１４〜図１７を参照して、本開示の第３の実施形態を説明する。
【０１７４】
第３の実施形態では、端末装置２００は、別の端末装置２００により送信されるディスカバリ信号の検出後に、複数のＣＣのうちの、上記別の端末装置２００によりディスカバリ信号が送信されないＣＣに、上記ディスカバリ信号を中継（relay）する。これにより、例えば、より多くのＣＣでのディスカバリ信号の送信が可能になる。
【０１７５】
＜５．１．端末装置の構成＞
まず、図１４及び図１５を参照して、第３の実施形態に係る端末装置２００−３の構成の一例を説明する。図１４は、第３の実施形態に係る端末装置２００−３の構成の一例を示すブロック図である。図１４を参照すると、端末装置２００−３は、アンテナ部２１０、無線通信部２２０、記憶部２３０、入力部２４０、表示部２５０及び処理部２８０を備える。
【０１７６】
なお、アンテナ部２１０、無線通信部２２０、記憶部２３０、入力部２４０、表示部２５０、及び、表示制御部２６５については、第１の実施形態と第３の実施形態との間で差異はない。よって、ここでは、処理部２８０に含まれる情報取得部２８１及び通信制御部２８３のみを説明する。
【０１７７】
（情報取得部２８１）
情報取得部２８１は、通信制御部２８３による制御のための情報を取得する。
【０１７８】
例えば、情報取得部２８１は、端末装置２００−３が使用可能なＣＣに関する情報を取得する。具体的には、例えば、端末装置２００−３が使用可能な上記ＣＣに関する上記情報が、記憶部２３０に記憶されている。そして、情報取得部２６１は、記憶部２３０から、上記情報を取得する。
【０１７９】
一例として、端末装置２００−３が使用可能な上記ＣＣに関する上記情報は、上記ＣＣの各々の帯域幅の情報、上記ＣＣの各々の中心周波数の情報、及び／又は、上記ＣＣの各々を識別するための識別情報などを含んでもよい。
【０１８０】
（通信制御部２８３）
通信制御部２８３は、端末装置２００−３の無線通信に関する制御を行う。
【０１８１】
−端末装置がディスカバリ信号を送信するケース
例えば、端末装置２００−３は、ディスカバリ信号を送信する。
【０１８２】
とりわけ第３の実施形態では、例えば、通信制御部２８３は、ディスカバリ信号の送信の際に、当該ディスカバリ信号を検出する別の端末装置２００−３にディスカバリ信号の中継を要求する。
【０１８３】
一例として、通信制御部２８３は、ディスカバリ信号の送信の際に、ディスカバリ信号の中継を要求するための中継要求情報が送信されるように、当該中継要求情報の送信を制御する。即ち、通信制御部２８３による制御に応じて、端末装置２００−３は、ディスカバリ信号の送信の際に上記中継要求情報を送信する。上記中継要求情報は、ディスカバリ信号の中に含まれてもよく、又はディスカバリ信号に付随して送信されてもよい。
【０１８４】
別の例として、通信制御部２８３は、ディスカバリ信号の中継に関連付けられる特定の無線リソースで、ディスカバリ信号が送信されるように、ディスカバリ信号の送信を制御してもよい。即ち、通信制御部２８３による制御に応じて、端末装置２００−３は、ディスカバリ信号を特定の無線リソースで送信してもよい。このようにディスカバリ信号の中継が要求されてもよい。
【０１８５】
なお、通信制御部２８３は、例えば、ディスカバリ信号の中継の際には、上記中継を要求せず、端末装置２００−３からのディスカバリ信号の新たな送信の際には、上記中継を要求する。即ち、ディスカバリ信号の中継は、１度のみ行われる。
【０１８６】
−端末装置がディスカバリ信号を検出するケース
例えば、端末装置２００−３は、ディスカバリ信号を検出するための検出処理を行う。この場合に、とりわけ第３の実施形態では、通信制御部２８３は、別の端末装置２００−３により送信されるディスカバリ信号の検出後に、上記複数のＣＣのうちの、上記別の端末装置２００−３によりディスカバリ信号が送信されないＣＣに、ディスカバリ信号が中継されるように、ディスカバリ信号の送信を制御する。
【０１８７】
例えば、複信方式としてＦＤＤが採用される。この場合に、例えば、上記複数のＣＣの各々は、アップリンクＣＣである。
【０１８８】
具体的には、例えば、別の端末装置２００−３により送信されるディスカバリ信号が検出されると、通信制御部２８３は、上記複数のＣＣのうちの端末装置２００−３が使用可能なＣＣと、上記複数のＣＣのうちの上記別の端末装置２００−３が使用可能なＣＣとを比較する。上記別の端末装置２００−３が使用可能なＣＣは、例えば、ディスカバリ信号の検出により特定されてもよく、又は、上記別の端末装置２００−３により送信される情報から特定されてもよい。そして、通信制御部２８３は、端末装置２００−３が使用可能な上記ＣＣのうちの、上記別の端末装置２００−３が使用不能なＣＣ（即ち、ディスカバリ信号が上記別の端末装置２００−３により送信されないＣＣ）を特定する。そして、通信制御部２８３による制御に応じて、端末装置２００−３は、特定されたＣＣに、検出された上記ディスカバリ信号を中継する。以下、図１５を参照して、ディスカバリ信号の中継の具体例を説明する。
【０１８９】
図１５は、第３の実施形態における、ディスカバリ信号の中継の一例を説明するための説明図である。図１５を参照すると、６つのＣＣ１〜６が示されている。ＣＣ１、ＣＣ３及びＣＣ５の各々は、ダウンリンクＣＣであり、ＣＣ２、ＣＣ４及びＣＣ６の各々は、アップリンクＣＣである。例えば、端末装置２００Ａは、複数のアップリンクＣＣ（即ち、ＣＣ２、ＣＣ４及びＣＣ６）のうちのＣＣ２及びＣＣ４を使用可能である。また、端末装置２００Ｂは、複数のアップリンクＣＣのうちのＣＣ４及びＣＣ６を使用可能である。また、端末装置２００Ｃは、複数のアップリンクＣＣのうちのＣＣ６を使用可能である。この場合に、例えば、端末装置２００Ａは、ＣＣ２及びＣＣ４でディスカバリ信号を送信し、端末装置２００Ｂは、ＣＣ４で送信されるディスカバリ信号を検出する。すると、端末装置２００Ｂは、端末装置２００Ａが使用不能なＣＣ６に、ディスカバリ信号を中継する。そして、端末装置２００Ｃは、中継されたディスカバリ信号を検出する。
【０１９０】
例えばこのようにディスカバリ信号が中継される。これにより、例えば、より多くのＣＣでのディスカバリ信号の送信が可能になる。このような中継は、例えば、ディスカバリ信号の検出により、通知すべき意味が即座に識別可能である場合に、とりわけ有効である。また、例えば、Ｄ２Ｄ通信の用途が、パブリックセーフティの用途である場合に、迅速な通知が求められるのでとりわけ有効である。
【０１９１】
なお、通信制御部２８３は、例えば、上記別の端末装置２００−３により送信される上記ディスカバリ信号が、上記別の端末装置２００−３により中継されるディスカバリ信号である場合に、上記ディスカバリ信号がさらに中継されないように、上記ディスカバリ信号の送信を制御する。
【０１９２】
具体的には、例えば、上述したように、送信されるディスカバリ信号が、新たに送信されるディスカバリ信号である場合には、上記ディスカバリ信号を送信する別の端末装置２００−３により、ディスカバリ信号の中継が要求される。この場合に、通信制御部２８３による制御に応じて、端末装置２００−３は、上記ディスカバリ信号を中継する。一方、上述したように、送信されるディスカバリ信号が、中継されるディスカバリ信号である場合には、上記ディスカバリ信号を送信する別の端末装置２００−３により、ディスカバリ信号の中継が要求されない。この場合に、通信制御部２８３による制御に応じて、端末装置２００−３は、上記ディスカバリ信号を中継しない。
【０１９３】
これにより、例えば、中継が繰り返されることを回避することが可能になる。
【０１９４】
＜５．２．処理の流れ＞
次に、図１６及び図１７を参照して、第３の実施形態に係る通信制御処理の例を説明する。
【０１９５】
（全体の処理の流れ）
図１６は、第３の実施形態に係る通信制御処理の概略的な流れの一例を示すシーケンス図である。
【０１９６】
端末装置２００Ａは、端末装置２００Ａが使用可能なＣＣにおいてディスカバリ信号を送信する（Ｓ５０１）。当該ＣＣの各々は、例えば、アップリンクＣＣである。端末装置２００Ａは、当該ディスカバリ信号の送信の際に、当該ディスカバリ信号の中継を要求する。
【０１９７】
そして、端末装置２００Ｂは、上記ディスカバリ信号を検出する（Ｓ５０３）。その後、端末装置２００Ｂは、上記ディスカバリ信号の中継が要求されているかを確認する（Ｓ５０５）。その結果、端末装置２００Ｂは、当該中継が要求されていることを確認する。すると、端末装置２００Ｂは、端末装置２００Ａが使用可能なＣＣ以外のＣＣに、上記ディスカバリ信号を中継する（Ｓ５０７）。
【０１９８】
その後、端末装置２００Ｃは、中継された上記ディスカバリ信号を検出する（Ｓ５０９）。そして、端末装置２００Ｃは、上記ディスカバリ信号の中継が要求されているかを確認する（Ｓ５１１）。その結果、端末装置２００Ｃは、当該中継が要求されていないことを確認する。そのため、端末装置２００Ｃは、上記ディスカバリ信号を中継しない。
【０１９９】
（ディスカバリ信号の中継に関する処理の流れ）
図１７は、第３の実施形態に係る、ディスカバリ信号の転送に係る処理の概略的な流れの一例を示すフローチャートである。当該処理は、端末装置２００−３において、ディスカバリ信号の検出後に実行される。
【０２００】
通信制御部２８３は、中継が要求されているかを確認する（Ｓ５３１）。中継が要求されていなければ（Ｓ５３１：Ｎｏ）、処理は終了する。
【０２０１】
中継が要求されていれば（Ｓ５３１：ＹＥＳ）、通信制御部２８３は、端末装置２００−３が使用可能なＣＣと、ディスカバリ信号を送信した別の端末装置２００−３が使用可能なＣＣとを比較する（Ｓ５３３）。そして、端末装置２００−３が使用可能なＣＣの中に、上記別の端末装置２００−３が使用不能なＣＣがなければ（Ｓ５３５：ＮＯ）、処理は終了する。
【０２０２】
端末装置２００−３が使用可能なＣＣの中に、上記別の端末装置２００−３が使用不能なＣＣがあれば（Ｓ５３５：ＹＥＳ）、通信制御部２８３による制御に応じて、端末装置２００−３は、上記別の端末装置２００−３が使用不能なＣＣに、ディスカバリ信号を中継する（Ｓ５３７）。そして、処理は終了する。
【０２０３】
＜＜６．第４の実施形態＞＞
続いて、図１８〜図２４を参照して、本開示の第４の実施形態を説明する。
【０２０４】
例えば、ＦＤＤ（Frequency  Division  Duplex）のペア帯域のうちのアップリンク帯域を使用して、Ｄ２Ｄ通信が行われる。しかし、Ｄ２Ｄ通信を行う第１の端末装置が、当該アップリンク帯域の無線リソースを自由に使用すると、例えば、Ｄ２Ｄ通信を行う第２の端末装置は、どの無線リソースが使用されるかが分からないので、上記第１の端末装置からの信号の受信のために上記第２の端末装置に多大な負荷がかかり得る。また、Ｄ２Ｄ通信を行う第１の端末装置が、当該アップリンク帯域の無線リソースを自由に使用すると、基地局と端末装置との間の無線通信への干渉が発生し得る。
【０２０５】
そこで、第４の実施形態では、基地局１００が、ＦＤＤのペア帯域のうちのアップリンク帯域の無線リソースのうちの、Ｄ２Ｄ通信のために使用可能な無線リソースを示すリソース情報を、上記ペア帯域のうちのダウンリンク帯域において送信する。また、端末装置２００は、当該リソース情報に基づいて、端末装置２００のＤ２Ｄ通信を制御する。これにより、例えば、Ｄ２Ｄ通信を行う装置にとっての負荷を抑えることが可能となる。
【０２０６】
＜６．１．基地局の構成＞
まず、図１８〜図２２を参照して、第４の実施形態に係る基地局１００−４の構成の一例を説明する。図１８は、第４の実施形態に係る基地局１００−４の構成の一例を示すブロック図である。図１８を参照すると、基地局１００−４は、アンテナ部１１０、無線通信部１２０、ネットワーク通信部１３０、記憶部１４０及び処理部１６０を備える。
【０２０７】
なお、アンテナ部１１０、無線通信部１２０、ネットワーク通信部１３０、記憶部１４０についての説明は、第１の実施形態と第４の実施形態との間で差異はない。よって、ここでは、処理部１６０に含まれる情報取得部１６１及び通信制御部１６３のみを説明する。
【０２０８】
（情報取得部１６１）
情報取得部１６１は、通信制御部１６３による制御のための情報を取得する。
【０２０９】
とりわけ第４の実施形態では、情報取得部１６１は、ＦＤＤのペア帯域のうちのアップリンク帯域の無線リソースのうちの、Ｄ２Ｄ通信のために使用可能な無線リソースを示すリソース情報を取得する。
【０２１０】
−特定の無線フレーム／特定のサブフレーム
例えば、上記無線リソースは、特定の無線フレーム及び／又は特定のサブフレームの無線リソースであり、上記リソース情報は、上記特定の無線フレーム及び／又は上記特定のサブフレームを示す。
【０２１１】
具体的には、例えば、特定の無線フレーム及び／又は特定のサブフレームの無線リソースが、リソースプールとしてＤ２Ｄ通信のために確保される。以下、この点について、図１９〜図２１を参照して具体例を説明する。
【０２１２】
図１９は、無線フレーム及びサブフレームを説明するための説明図である。図１９を参照すると、ＳＦＮが０〜１０２３である１０２４個の無線フレームが示されている。このようなＳＦＮが０〜１０２３である１０２４個の無線フレームが繰り返される。また、各無線フレームは、サブフレーム番号が０〜９である１０個のサブフレームを含む。
【０２１３】
図２０及び図２１は、リソースプールの例を説明するための説明図である。図２０及び図２１を参照すると、１０２４個の無線フレームに想到する１０２４ミリ秒（即ち、１０．２４秒）の期間が示されている。例えば、図２０の例では、１０２４個の無線フレームのうちの１６個の無線フレームの無線リソースが、リソースプールとしてＤ２Ｄ通信のために確保される。即ち、６４個の無線フレームの周期で１つの無線フレームがＤ２Ｄ通信のために確保される。例えば、図２１の例では、１０２４個の無線フレームのうちの８個の無線フレームの無線リソースが、リソースプールとしてＤ２Ｄ通信のために確保される。即ち、１２８個の無線フレームの周期で１つの無線フレームがＤ２Ｄ通信のために確保される。一例として、上記リソース情報は、周期（即ち、反復期間）及びオフセットの組合せにより、上記特定の無線フレームのＳＦＮを示す。
【０２１４】
なお、図２０に示されるリソースプールと、図２１に示されるリソースプールとの両方が、Ｄ２Ｄ通信のために確保されてもよい。この場合に、上記リソース情報は、周期及びオフセットの２つの組合せにより、上記特定の無線フレームのＳＦＮを示してもよい。より一般的には、上記リソース情報は、周期及びオフセットの２つ以上の組合せにより、上記特定の無線フレームのＳＦＮを示してもよい。
【０２１５】
また、上記リソース情報は、特定のサブフレームのサブフレーム番号、又は、特定のサブフレームの割当て（Allocation）を示してもよい。
【０２１６】
−特定の帯域
上記無線リソースは、上記アップリンク帯域のうちの特定の帯域の無線リソースであってもよく、上記リソース情報は、上記特定の帯域を示してもよい。
【０２１７】
−特定のリソースブロック
上記無線リソースは、特定のリソースブロックであってもよく、上記リソース情報は、上記特定のリソースブロックを示してもよい。
【０２１８】
（通信制御部１６３）
通信制御部１６３は、無線通信に関する制御を行う。
【０２１９】
とりわけ第４の実施形態では、通信制御部１６３は、上記ペア帯域のうちのダウンリンク帯域における上記リソース情報の送信を制御する。即ち、通信制御部１６３による制御に応じて、基地局１００−４は、上記ペア帯域のうちのダウンリンク帯域において上記リソース情報を送信する。以下、この点について図２２を参照して具体例を説明する。
【０２２０】
図２２は、リソース情報の送信の例を説明するための説明図である。図２２を参照すると、基地局１００−４及び端末装置２００−４が示されている。また、ＦＤＤのペア帯域であるダウンリンク帯域及びアップリンク帯域が示されている。基地局１００−４は、ダウンリンク帯域において、アップリンク帯域の無線リソースのうちの、Ｄ２Ｄ通信のために使用可能な無線リソースを示すリソース情報を送信する。そして、例えば、端末装置２００−４は、ダウンリンク帯域において当該リソース情報を受信し、Ｄ２Ｄ通信のために当該リソース情報を使用する。
【０２２１】
これにより、例えば、Ｄ２Ｄ通信を行う装置にとっての負荷を抑えることが可能となる。
【０２２２】
−第１の手法（システム情報）
第１の例として、通信制御部１６３は、上記ダウンリンク帯域における、上記リソース情報を含むシステム情報の送信を制御する。即ち、上記リソース情報は、システム情報に含まれる情報であり、通信制御部１６３による制御に応じて、基地局１００−４は、上記ダウンリンク帯域において、上記リソース情報を含む上記システム情報を送信する。
【０２２３】
具体的な処理として、例えば、通信制御部１６３は、上記ダウンリンク帯域の無線リソースのうちの、当該システム情報に割り当てられる無線リソースに、上記リソース情報を含むシステム情報の信号をマッピングする。その結果、上記リソース情報は、システム情報の一部として送信される。
【０２２４】
これにより、例えば、端末装置２００−４は、アイドル状態（例えば、ＲＲＣアイドル）である場合でも、Ｄ２Ｄ通信のために使用可能な無線リソースを知ることが可能になる。そのため、接続状態（例えば、ＲＲＣ接続）の端末装置２００−４にとっての負荷のみではなく、アイドル状態の端末装置２００−４にとっての負荷も、抑えられ得る。
【０２２５】
また、上記リソース情報を含む上記システム情報の送信により、多数の端末装置２００−４がセル１０内に存在するとしても当該多数の端末装置２００−４へ一括で上記リソース情報が送信される。そのため、端末装置２００−４の数に応じたオーバーヘッドの増大が回避され得る。
【０２２６】
−第２の手法（シグナリング）
第２の例として、通信制御部１６３は、上記ダウンリンク帯域における、個別の端末装置へのシグナリングによる上記リソース情報の送信を制御する。即ち、通信制御部１６３による制御に応じて、基地局１００−４は、上記ダウンリンク帯域において、個別の端末装置２００−４へのシグナリングにより上記リソース情報を送信してもよい。
【０２２７】
具体的な処理として、例えば、通信制御部１６３は、上記ダウンリンク帯域の無線リソースのうちの、個別の端末装置２００−４へのシグナリングのための無線リソースに、上記リソース情報の信号をマッピングする。その結果、上記リソース情報は、個別の端末装置２００−４へのシグナリングにより送信される。
【０２２８】
これにより、例えば、上記リソース情報の送信にシステム情報が使用されない。そのため、システム情報のための貴重な無線リソースの消費が回避され得る。
【０２２９】
また、シグナリングによる上記リソース情報の送信により、例えば、Ｄ２Ｄ通信を行わない端末装置にとっての負荷を抑えることが可能になる。より具体的には、上記リソース情報がシステム情報に含まれる場合には、上記リソース情報が変わると（即ち、Ｄ２Ｄ通信のために使用可能な無線リソースが変わると）、Ｄ２Ｄ通信を行わない端末装置も、システム情報を確認する。そのため、上記リソース情報がシステム情報に含まれる場合には、Ｄ２Ｄ通信を行わない端末装置にとっての負荷が増大し得る。しかし、シグナリングによる上記リソース情報の送信によれば、このような負荷は発生しない。よって、Ｄ２Ｄ通信を行わない端末装置にとっての負荷が抑えられ得る。
【０２３０】
＜６．２．端末装置の構成＞
次に、図２３を参照して、第４の実施形態に係る端末装置２００−４の構成の一例を説明する。図２３は、第４の実施形態に係る端末装置２００−４の構成の一例を示すブロック図である。図２３を参照すると、端末装置２００−４は、アンテナ部２１０、無線通信部２２０、記憶部２３０、入力部２４０、表示部２５０及び処理部２９０を備える。
【０２３１】
なお、アンテナ部２１０、無線通信部２２０、記憶部２３０、入力部２４０、表示部２５０、及び、表示制御部２６５については、第１の実施形態と第４の実施形態との間で差異はない。よって、ここでは、処理部２９０に含まれる情報取得部２９１及び通信制御部２９３のみを説明する。
【０２３２】
（情報取得部２９１）
情報取得部２９１は、通信制御部２９３による制御のための情報を取得する。
【０２３３】
とりわけ第４の実施形態では、情報取得部２９１は、上記リソース情報を取得する。上述したように、当該リソース情報は、ＦＤＤのペア帯域のうちのアップリンク帯域の無線リソースのうちの、Ｄ２Ｄ通信のために使用可能な無線リソースを示す情報である。
【０２３４】
例えば、上記リソース情報が、上記ペア帯域のうちのダウンリンク帯域において基地局１００−４により送信されると、情報取得部２９１は、無線通信部２２０を介して、上記リソース情報を取得する。
【０２３５】
（通信制御部２９３）
通信制御部２９３は、端末装置２００−４の無線通信に関する制御を行う。
【０２３６】
とりわけ第４の実施形態では、通信制御部２９３は、上記リソース情報に基づいて、上記アップリンク帯域における端末装置２００−４のＤ２Ｄ通信を制御する。
【０２３７】
例えば、通信制御部２９３は、上記リソース情報により示される無線リソースを使用して、端末装置２００−４がＤ２Ｄ通信に関する信号（以下、「Ｄ２Ｄ関連信号」と呼ぶ）を送信するように、端末装置２００−４のＤ２Ｄ通信を制御する。具体的な処理として、例えば、通信制御部２９３は、上記無線リソースにＤ２Ｄ関連信号をマッピングする。その結果、端末装置２００−４は、上記無線リソースを使用して上記Ｄ２Ｄ関連信号を送信する。
【０２３８】
また、例えば、通信制御部２９３は、上記リソース情報により示される無線リソース（アップリンク帯域の無線リソース）を使用して他の端末装置２００−４により送信されるＤ２Ｄ関連信号を端末装置２００−４が受信するように、端末装置２００−４のＤ２Ｄ通信を制御する。具体的な処理として、例えば、通信制御部２９３は、上記無線リソース（アップリンク帯域の無線リソース）を使用して送信される信号の受信処理（例えば、復調及び復号など）を行う。
【０２３９】
なお、例えば、上記Ｄ２Ｄ関連信号は、Ｄ２Ｄ通信の信号を含む。より具体的には、例えば、上記Ｄ２Ｄ関連信号は、Ｄ２Ｄ通信のデータ信号及び／又は制御信号を含む。
【０２４０】
例えば、上記Ｄ２Ｄ関連信号は、Ｄ２Ｄ通信の開始のための信号を含む。より具体的には、例えば、上記Ｄ２Ｄ関連信号は、同期のための信号（例えば、同期信号）、ディスカバリのための信号（例えば、ディスカバリ信号）、及び／又は接続確立のための制御信号（例えば、接続確立手続きのメッセージの信号）などを含む。
【０２４１】
＜６．３．処理の流れ＞
次に、図２４を参照して、第４の実施形態に係る通信制御処理の一例を説明する。図２４は、第４の実施形態に係る通信制御処理の概略的な流れの一例を示すシーケンス図である。
【０２４２】
基地局１００−４は、ＦＤＤのペア帯域のうちのアップリンク帯域の無線リソースのうちの、Ｄ２Ｄ通信のために使用可能な無線リソースを示すリソース情報を、上記ペア帯域のうちのダウンリンク帯域において端末装置２００−４へ送信する（Ｓ６０１、Ｓ６０３）。例えば、基地局１００−４は、上記ダウンリンク帯域において、上記リソース情報を含むシステム情報を送信する。
【０２４３】
その後、端末装置２００−４は、上記リソース情報により示される上記無線リソースを使用して、Ｄ２Ｄ通信を行う（Ｓ６０５）。即ち、端末装置２００−４は、上記無線リソースを使用して、Ｄ２Ｄ通信の信号（例えば、データ信号及び／又は制御信号）を送受信する。なお、端末装置２００−４は、上記無線リソースを使用して上記Ｄ２Ｄ通信を行う前に、上記無線リソースを使用して、Ｄ２Ｄ通信の開始のための信号（例えば、同期信号、ディスカバリ信号、接続確立のための制御信号など）を送受信してもよい。
【０２４４】
＜＜７．応用例＞＞
本開示に係る技術は、様々な製品へ応用可能である。例えば、基地局１００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局１００は、ＮｏｄｅＢ又はＢＴＳ（Base  Transceiver  Station）などの他の種類の基地局として実現されてもよい。基地局１００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局１００として動作してもよい。
【０２４５】
また、例えば、端末装置２００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置２００は、Ｍ２Ｍ（Machine  To  Machine）通信を行う端末（ＭＴＣ（Machine  Type  Communication）端末ともいう）として実現されてもよい。さらに、端末装置２００は、これら端末に搭載される無線通信モジュール（例えば、１つのダイで構成される集積回路モジュール）であってもよい。
【０２４６】
＜７．１．基地局に関する応用例＞
（第１の応用例）
図２５は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０２４７】
アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図２５に示したように複数のアンテナ８１０を有し、複数のアンテナ８１０は、例えばｅＮＢ８００が使用する複数の周波数帯域にそれぞれ対応してもよい。なお、図２５にはｅＮＢ８００が複数のアンテナ８１０を有する例を示したが、ｅＮＢ８００は単一のアンテナ８１０を有してもよい。
【０２４８】
基地局装置８２０は、コントローラ８２１、メモリ８２２、ネットワークインタフェース８２３及び無線通信インタフェース８２５を備える。
【０２４９】
コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０２５０】
ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０２５１】
無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０２５２】
無線通信インタフェース８２５は、図２５に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図２５に示したように複数のＲＦ回路８２７を含み、複数のＲＦ回路８２７は、例えば複数のアンテナ素子にそれぞれ対応してもよい。なお、図２５には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０２５３】
（第２の応用例）
図２６は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０２５４】
アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２６に示したように複数のアンテナ８４０を有し、複数のアンテナ８４０は、例えばｅＮＢ８３０が使用する複数の周波数帯域にそれぞれ対応してもよい。なお、図２６にはｅＮＢ８３０が複数のアンテナ８４０を有する例を示したが、ｅＮＢ８３０は単一のアンテナ８４０を有してもよい。
【０２５５】
基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図２５を参照して説明したコントローラ８２１、メモリ８２２及びネットワークインタフェース８２３と同様のものである。
【０２５６】
無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図２５を参照して説明したＢＢプロセッサ８２６と同様のものである。無線通信インタフェース８５５は、図２６に示したように複数のＢＢプロセッサ８５６を含み、複数のＢＢプロセッサ８５６は、例えばｅＮＢ８３０が使用する複数の周波数帯域にそれぞれ対応してもよい。なお、図２６には無線通信インタフェース８５５が複数のＢＢプロセッサ８５６を含む例を示したが、無線通信インタフェース８５５は単一のＢＢプロセッサ８５６を含んでもよい。
【０２５７】
接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０２５８】
また、ＲＲＨ８６０は、接続インタフェース８６１及び無線通信インタフェース８６３を備える。
【０２５９】
接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０２６０】
無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２６に示したように複数のＲＦ回路８６４を含み、複数のＲＦ回路８６４は、例えば複数のアンテナ素子にそれぞれ対応してもよい。なお、図２６には無線通信インタフェース８６３が複数のＲＦ回路８６４を含む例を示したが、無線通信インタフェース８６３は単一のＲＦ回路８６４を含んでもよい。
【０２６１】
図２５及び図２６に示したｅＮＢ８００及びｅＮＢ８３０において、図３を参照して説明した情報取得部１５１及び通信制御部１５３、並びに、図１８を参照して説明した情報取得部１６１及び通信制御部１６３は、無線通信インタフェース８２５並びに無線通信インタフェース８５５及び／又は無線通信インタフェース８６３において実装されてもよい。また、これら機能の少なくとも一部は、コントローラ８２１及びコントローラ８５１において実装されてもよい。
【０２６２】
＜７．２．端末装置に関する応用例＞
（第１の応用例）
図２７は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２６３】
プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２６４】
カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２６５】
無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２７に示したように複数のＢＢプロセッサ９１３及び複数のＲＦ回路９１４を含んでもよい。なお、図２７には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２６６】
さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２６７】
アンテナスイッチ９１５の各々は、無線通信インタフェース９１２に含まれる複数の回路（例えば、異なる無線通信方式のための回路）の間でアンテナ９１６の接続先を切り替える。
【０２６８】
アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２７に示したように複数のアンテナ９１６を有してもよい。なお、図２７にはスマートフォン９００が複数のアンテナ９１６を有する例を示したが、スマートフォン９００は単一のアンテナ９１６を有してもよい。
【０２６９】
さらに、スマートフォン９００は、無線通信方式ごとにアンテナ９１６を備えてもよい。その場合に、アンテナスイッチ９１５は、スマートフォン９００の構成から省略されてもよい。
【０２７０】
バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２７に示したスマートフォン９００の各ブロックへ電力を供給する。補助コントローラ９１９は、例えば、スリープモードにおいて、スマートフォン９００の必要最低限の機能を動作させる。
【０２７１】
図２７に示したスマートフォン９００において、図６を参照して説明した情報取得部２６１及び通信制御部２６３、図１１を参照して説明した情報取得部２７１及び通信制御部２７３、図１４を参照して説明した情報取得部２８１及び通信制御部２８３、並びに、図２３を参照して説明した情報取得部２９１及び通信制御部２９３は、無線通信インタフェース９１２において実装されてもよい。また、これら機能の少なくとも一部は、プロセッサ９０１又は補助コントローラ９１９において実装されてもよい。
【０２７２】
（第２の応用例）
図２８は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２７３】
プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２７４】
ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２７５】
コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２７６】
無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２８に示したように複数のＢＢプロセッサ９３４及び複数のＲＦ回路９３５を含んでもよい。なお、図２８には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２７７】
さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２７８】
アンテナスイッチ９３６の各々は、無線通信インタフェース９３３に含まれる複数の回路（例えば、異なる無線通信方式のための回路）の間でアンテナ９３７の接続先を切り替える。
【０２７９】
アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２８に示したように複数のアンテナ９３７を有してもよい。なお、図２８にはカーナビゲーション装置９２０が複数のアンテナ９３７を有する例を示したが、カーナビゲーション装置９２０は単一のアンテナ９３７を有してもよい。
【０２８０】
さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２８１】
バッテリー９３８は、図中に破線で部分的に示した給電ラインを介して、図２８に示したカーナビゲーション装置９２０の各ブロックへ電力を供給する。また、バッテリー９３８は、車両側から給電される電力を蓄積する。
【０２８２】
図２８に示したカーナビゲーション装置９２０において、図６を参照して説明した情報取得部２６１及び通信制御部２６３、図１１を参照して説明した情報取得部２７１及び通信制御部２７３、図１４を参照して説明した情報取得部２８１及び通信制御部２８３、並びに、図２３を参照して説明した情報取得部２９１及び通信制御部２９３は、無線通信インタフェース９３３において実装されてもよい。また、これら機能の少なくとも一部は、プロセッサ９２１において実装されてもよい。
【０２８３】
また、本開示に係る技術は、上述したカーナビゲーション装置９２０の１つ以上のブロックと、車載ネットワーク９４１と、車両側モジュール９４２とを含む車載システム（又は車両）９４０として実現されてもよい。車両側モジュール９４２は、車速、エンジン回転数又は故障情報などの車両側データを生成し、生成したデータを車載ネットワーク９４１へ出力する。
【０２８４】
＜＜８．まとめ＞＞
ここまで、図１〜図２８を参照して、本開示の実施形態に係る各装置及び各処理を説明した。
【０２８５】
（第１の実施形態）
−基地局
第１の実施形態によれば、基地局１００−１において、情報取得部１５１は、キャリアアグリゲーションのための複数のＣＣのうちの、Ｄ２Ｄ通信を行う装置を他の装置が発見することを可能にするディスカバリ信号を送信するためのＣＣを示すキャリア情報を取得する。そして、通信制御部１５３は、端末装置２００−１への上記キャリア情報の送信を制御する。
【０２８６】
これにより、Ｄ２Ｄ通信を行う端末装置２００−１にとっての負荷を抑えることを可能になる。具体的には、例えば、ディスカバリ信号を検出する端末装置２００にとっての負荷が抑えられ、且つ、ディスカバリ信号を送信する端末装置２００にとっての負荷も抑えられ得る。
【０２８７】
例えば、キャリア情報により、端末装置２００−１は、どのＣＣでディスカバリ信号が送信されるかを知ることが可能になる。そのため、端末装置２００−１は、ディスカバリ信号が送信されるＣＣで送信される信号に対して、ディスカバリ信号を検出するための検出処理を行えばよく、その他のＣＣで送信される信号に対して、上記検出処理を行わなくてもよい。即ち、端末装置２００−１は、限定されたＣＣで上記検出処理を行えばよい。そのため、ディスカバリ信号を検出する端末装置２００−１にとっての負荷が抑えられ得る。
【０２８８】
また、例えば、ディスカバリ信号を送信する端末装置２００−１は、他の端末装置２００−１によるディスカバリ信号の素早く容易な検出のために全てのＣＣでディスカバリ信号を送信する必要もない。即ち、端末装置２００−１は、限定されたＣＣでディスカバリ信号を送信してもよい。そのため、ディスカバリ信号を送信する端末装置２００−１にとっての負荷が抑えられ得る。
【０２８９】
また、例えば、上記複数のＣＣは、１つ以上のダウンリンクＣＣと、１つ以上のアップリンクＣＣとを含み、上記ディスカバリ信号を送信するための上記コンポーネントキャリアは、上記１つ以上のアップリンクコンポーネントキャリアのいずれかである。
【０２９０】
これにより、基地局１００−１と端末装置２００−１との間の通信への干渉を回避することがより容易になる。アップリンクでは、端末装置２００−１にリソースが割り当てられない限り、信号が送信されないからである。
【０２９１】
第１の手法として、例えば、通信制御部１５３は、上記キャリア情報を含むシステム情報の送信を制御する。
【０２９２】
これにより、例えば、端末装置２００−１は、アイドル状態（例えば、ＲＲＣアイドル（Radio  Resource  Control  Idle））である場合でも、ディスカバリ信号が送信されるＣＣを知ることが可能になる。そのため、接続状態（例えば、ＲＲＣ接続（Radio  Resource  Control  Connected））の端末装置２００−１にとっての負荷のみではなく、アイドル状態の端末装置２００−１にとっての負荷も、抑えられ得る。
【０２９３】
また、上記キャリア情報を含む上記システム情報の送信により、多数の端末装置２００−１がセル１０内に存在するとしても当該多数の端末装置２００−１へ一括で上記キャリア情報が送信される。そのため、端末装置２００−１の数に応じたオーバーヘッドの増大が回避され得る。
【０２９４】
さらに、例えば、通信制御部１５３は、上記複数のＣＣのうちのダウンリンク信号が送信されるＣＣの各々で上記システム情報が送信されるように、上記システム情報の送信を制御する。
【０２９５】
これにより、例えば、端末装置２００−１は、ダウンリンク信号が送信されるＣＣのうちのいずれを使用していたとしても、上記キャリア情報を含む上記システム情報を取得し、ディスカバリ信号が送信されるＣＣを知ることが可能になる。
【０２９６】
第２の手法として、通信制御部１５３は、個別の端末装置２００−１へのシグナリングによる上記キャリア情報の送信を制御してもよい。
【０２９７】
これにより、例えば、上記キャリア情報の送信にシステム情報が使用されない。そのため、システム情報のための貴重な無線リソースの消費が回避され得る。
【０２９８】
また、シグナリングによる上記キャリア情報の送信により、例えば、Ｄ２Ｄ通信を行わない端末装置にとっての負荷を抑えることが可能になる。より具体的には、上記キャリア情報がシステム情報に含まれる場合には、上記キャリア情報が変わると（即ち、ディスカバリ信号が送信されるＣＣが変わると）、Ｄ２Ｄ通信を行わない端末装置も、システム情報を確認する。そのため、上記キャリア情報がシステム情報に含まれる場合には、Ｄ２Ｄ通信を行わない端末装置にとっての負荷が増大し得る。しかし、シグナリングによる上記キャリア情報の送信によれば、このような負荷は発生しない。よって、Ｄ２Ｄ通信を行わない端末装置にとっての負荷が抑えられ得る。
【０２９９】
さらに、個別の端末装置２００−１へのシグナリングにより送信される上記キャリア情報は、個別の端末装置２００−１の近傍に位置する端末装置２００−１がディスカバリ信号を送信するためのＣＣを示してもよい。
【０３００】
これにより、例えば、ディスカバリ信号を検出する端末装置２００−１は、近傍に位置する端末装置２００−１がディスカバリ信号を送信するためのＣＣで送信される信号に対して、ディスカバリ信号を検出するための検出処理を行えばよい。そのため、ディスカバリ信号を検出する端末装置２００−１にとっての負荷がさらに抑えられる。
【０３０１】
−端末装置（ディスカバリ信号を検出するケース）
第１の実施形態によれば、ディスカバリ信号を検出する端末装置２００−１において、情報取得部２６１は、キャリアアグリゲーションのための複数のＣＣのうちのディスカバリ信号を送信するためのＣＣを示すキャリア情報を取得する。そして、通信制御部２６３は、上記キャリア情報に基づいて、ディスカバリ信号を検出するための検出処理を制御する。
【０３０２】
−端末装置（ディスカバリ信号を送信するケース）
第１の実施形態によれば、例えば、ディスカバリ信号を送信する端末装置２００−１において、例えば、情報取得部２６１は、キャリアアグリゲーションのための複数のＣＣのうちのディスカバリ信号を端末装置２００−１が送信するためのＣＣを示す個別キャリア情報を取得する。そして、通信制御部２６３は、基地局１００−１への上記個別キャリア情報の送信を制御する。
【０３０３】
なお、第１の実施形態の変形例によれば、情報取得部２６１は、キャリアアグリゲーションのための複数のＣＣのうちのディスカバリ信号を送信するためのＣＣを示すキャリア情報を取得する。そして、通信制御部２６３は、上記キャリア情報に基づいて、ディスカバリ信号の送信を制御する。
【０３０４】
（第２の実施形態）
−端末装置（ディスカバリ信号を送信するケース）
第２の実施形態によれば、情報取得部２７１は、キャリアアグリゲーションのための複数のＣＣの各々に関する情報を取得する。そして、通信制御部２７３は、ディスカバリ信号が上記複数のＣＣの各々で送信されるように、上記ディスカバリ信号の送信を制御する。
【０３０５】
これにより、Ｄ２Ｄ通信を行う端末装置２００にとっての負荷を抑えることを可能になる。具体的には、例えば、これにより、複数のＣＣの各々においてディスカバリ信号を検出することが可能になる。そのため、ディスカバリ信号を検出するための検出処理は、いずれか１つのＣＣで送信される信号に対して行われればよく、その他のＣＣで送信される信号に対しては行われなくてもよい。よって、ディスカバリ信号を検出する端末装置２００−２にとっての負荷が抑えられる。
【０３０６】
また、例えば、上記複数のＣＣの各々は、アップリンクＣＣである。
【０３０７】
これにより、基地局１００−２と端末装置２００−２との間の通信への干渉を回避することがより容易になる。アップリンクでは、端末装置２００−２にリソースが割り当てられない限り、信号が送信されないからである。
【０３０８】
−端末装置（ディスカバリ信号を検出するケース）
第２の実施形態によれば、ディスカバリ信号を検出する端末装置２００−１において、情報取得部２７１は、キャリアアグリゲーションのための複数のＣＣのうちの１つのＣＣに関する情報を取得する。通信制御部２７３は、上記複数のＣＣのうちの上記１つのＣＣで送信される信号に対して、ディスカバリ信号を検出するための検出処理が行われるように、当該検出処理を制御する。
【０３０９】
これにより、例えば、ディスカバリ信号を検出する端末装置２００−２にとっての負荷が抑えられる。
【０３１０】
また、例えば、上記１つのＣＣは、端末装置２００−２にとってのＰＣＣである。また、例えば、上記１つのＣＣは、アップリンクＣＣである。
【０３１１】
（第３の実施形態）
−端末装置（ディスカバリ信号を検出するケース）
本開示に係る第３の実施形態によれば、通信制御部２８３は、別の端末装置２００−３により送信されるディスカバリ信号の検出後に、上記複数のＣＣのうちの、上記別の端末装置２００−３によりディスカバリ信号が送信されないＣＣに、ディスカバリ信号が中継されるように、ディスカバリ信号の送信を制御する。
【０３１２】
これにより、例えば、より多くのＣＣでのディスカバリ信号の送信が可能になる。このような中継は、例えば、ディスカバリ信号の検出により、通知すべき意味が即座に識別可能である場合に、とりわけ有効である。また、例えば、Ｄ２Ｄ通信の用途が、パブリックセーフティの用途である場合に、迅速な通知が求められるのでとりわけ有効である。
【０３１３】
また、例えば、通信制御部２８３は、上記別の端末装置２００−３により送信される上記ディスカバリ信号が、上記別の端末装置２００−３により中継されるディスカバリ信号である場合に、上記ディスカバリ信号がさらに中継されないように、上記ディスカバリ信号の送信を制御する。
【０３１４】
これにより、例えば、中継が繰り返されることを回避することが可能になる。
【０３１５】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０３１６】
例えば、複信方式としてＦＤＤが採用される例を説明したが、本開示は係る例に限定されない。例えば、複信方式としてＴＤＤ（Time  Division  Duplex）が採用されてもよい。この場合に、キャリアアグリゲーションのための複数のＣＣの各々では、ダウンリンク信号及びアップリンク信号の両方が送信される。そして、例えば、ディスカバリ信号は、周波数方向においては、上記複数のＣＣのいずれでも送信され得る。また、ディスカバリ信号は、時間方向においては、例えば、ダウンリンクサブフレームでは送信されず、アップリンクサブフレームで送信される。
【０３１７】
また、ディスカバリ信号を検出するための検出処理そのものが制御される例を説明したが、本開示は係る例に限定されない。例えば、上記検出処理を含む受信処理全体を制御することにより、上記検出処理が制御されてもよい。
【０３１８】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０３１９】
また、通信制御装置（例えば、基地局に含まれる基地局装置）又は端末装置に内蔵されるＣＰＵ、ＲＯＭ及びＲＡＭ等のハードウェアに、上記通信制御装置又は端末装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行可能な１つ以上のプロセッサ（例えば、ＣＰＵ、ＤＳＰなど）を備える情報処理装置（例えば、処理回路、チップ）も提供されてもよい。
【０３２０】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０３２１】
なお、以下のような構成も本開示の技術的範囲に属する。
（１）
キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得する取得部と、
端末装置への前記キャリア情報の送信を制御する制御部と、
を備える通信制御装置。
（２）
前記複数のコンポーネントキャリアは、１つ以上のダウンリンクコンポーネントキャリアと、１つ以上のアップリンクコンポーネントキャリアとを含み、
前記ディスカバリ信号を送信するための前記コンポーネントキャリアは、前記１つ以上のアップリンクコンポーネントキャリアのいずれかである、
前記（１）に記載の通信制御装置。
（３）
前記制御部は、前記キャリア情報を含むシステム情報の送信を制御する、前記（１）又は（２）に記載の通信制御装置。
（４）
前記制御部は、前記複数のコンポーネントキャリアのうちのダウンリンク信号が送信されるコンポーネントキャリアの各々で前記システム情報が送信されるように、前記システム情報の送信を制御する、前記（３）に記載の通信制御装置。
（５）
前記制御部は、個別の端末装置へのシグナリングによる前記キャリア情報の送信を制御する、前記（１）又は（２）に記載の通信制御装置。
（６）
前記個別の端末装置へのシグナリングにより送信される前記キャリア情報は、前記個別の端末装置の近傍に位置する端末装置が前記ディスカバリ信号を送信するためのコンポーネントキャリアを示す、前記（５）に記載の通信制御装置。
（７）
前記ディスカバリ信号を送信するための前記コンポーネントキャリアは、個別の端末装置により送信される個別キャリア情報により示されるコンポーネントキャリアであって、前記個別の端末装置が前記ディスカバリ信号を送信するための前記コンポーネントキャリアである、前記（１）〜（６）のいずれか１項に記載の通信制御装置。
（８）
前記ディスカバリ信号を送信するための前記コンポーネントキャリアは、基地局により指定されるコンポーネントキャリアである、前記（１）〜（６）のいずれか１項に記載の通信制御装置。
（９）
キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得することと、
端末装置への前記キャリア情報の送信をプロセッサにより制御することと、
を含む通信制御方法。
（１０）
キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得する取得部と、
前記キャリア情報に基づいて、前記ディスカバリ信号を検出するための検出処理を制御する制御部と、
を備える端末装置。
（１１）
前記制御部は、別の端末装置により送信される前記ディスカバリ信号の検出後に、前記複数のコンポーネントキャリアのうちの、前記別の端末装置により前記ディスカバリ信号が送信されないコンポーネントキャリアに、前記ディスカバリ信号が中継されるように、前記ディスカバリ信号の送信を制御する、前記（１０）に記載の端末装置。
（１２）
前記制御部は、前記別の端末装置により送信される前記ディスカバリ信号が、前記別の端末装置により中継される前記ディスカバリ信号である場合に、前記ディスカバリ信号がさらに中継されないように、前記ディスカバリ信号の送信を制御する、前記（１１）に記載の端末装置。
（１３）
端末装置であって、
キャリアアグリゲーションのための複数のコンポーネントキャリアのうちの、装置間通信を行う装置を他の装置が発見することを可能にするディスカバリ信号を前記端末装置が送信するためのコンポーネントキャリアを示す個別キャリア情報を取得する取得部と、
基地局への前記個別キャリア情報の送信を制御する制御部と、
を備える端末装置。
（１４）
キャリアアグリゲーションのための複数のコンポーネントキャリアのうちの、装置間通信を行う装置を他の装置が発見することを可能にするディスカバリ信号を送信するためのコンポーネントキャリアを示すキャリア情報を取得する取得部と、
前記キャリア情報に基づいて、前記ディスカバリ信号の送信を制御する制御部と、
を備える端末装置。
（１５）
キャリアアグリゲーションのための複数のコンポーネントキャリアの各々に関する情報を取得する取得部と、
装置間通信を行う装置を他の装置が発見することを可能にするディスカバリ信号が、前記複数のコンポーネントキャリアの各々で送信されるように、前記ディスカバリ信号の送信を制御する制御部と、
を備える端末装置。
（１６）
前記複数のコンポーネントキャリアの各々は、アップリンクコンポーネントキャリアである、前記（１５）に記載の端末装置。
（１７）
キャリアアグリゲーションのための複数のコンポーネントキャリアのうちの１つのコンポーネントキャリアに関する情報を取得する取得部と、
前記１つのコンポーネントキャリアで送信される信号に対して、装置間通信を行う装置を他の装置が発見することを可能にするディスカバリ信号を検出するための検出処理が行われるように、前記検出処理を制御する制御部と、
を備え、
前記ディスカバリ信号は、前記複数のコンポーネントキャリアの各々で送信される信号である、
端末装置。
（１８）
前記１つのコンポーネントキャリアは、前記端末装置にとってのプライマリコンポーネントキャリアである、前記（１７）に記載の端末装置。
（１９）
前記１つのコンポーネントキャリアは、アップリンクコンポーネントキャリアである、前記（１７）又は（１８）に記載の端末装置。
（２０）
キャリアアグリゲーションのための複数のコンポーネントキャリアのうちの、装置間通信に関する信号を送信するためのコンポーネントキャリアを示すキャリア情報を取得する取得部と、
端末装置への前記キャリア情報の送信を制御する制御部と、
を備える通信制御装置。
（２１）
装置間通信に関する前記信号は、装置間通信の信号、又は装置間通信の開始のための信号を含む、前記（２０）に記載の通信制御装置。
（２２）
前記装置間通信の信号は、データ信号又は制御信号を含む、前記（２１）に記載の通信制御装置。
（２３）
前記装置間通信の開始のための信号は、同期信号、ディスカバリ信号、又は接続確立のための制御信号を含む、前記（２１）又は（２２）に記載の通信制御装置。
（２４）
キャリアアグリゲーションのための複数のコンポーネントキャリアのうちの、装置間通信に関する信号を送信するためのコンポーネントキャリアを示すキャリア情報を取得する取得部と、
前記キャリア情報に基づいて、前記ディスカバリ信号の送信を制御する制御部と、
を備える端末装置。
（２５）
ＦＤＤ（Frequency  Division  Duplex）のペア帯域のうちのアップリンク帯域の無線リソースのうちの、装置間通信のために使用可能な無線リソースを示すリソース情報を取得する取得部と、
前記ペア帯域のうちのダウンリンク帯域における前記リソース情報の送信を制御する制御部と、
を備える通信制御装置。
（２６）
前記無線リソースは、特定の無線フレーム又は特定のサブフレームの無線リソースであり、
前記リソース情報は、前記特定の無線フレーム又は前記特定のサブフレームを示す、
前記（２５）に記載の通信制御装置。
（２７）
前記無線リソースは、前記アップリンク帯域のうちの特定の帯域の無線リソースであり、
前記リソース情報は、前記特定の帯域を示す、
前記（２５）又は（２６）に記載の通信制御装置。
（２８）
前記無線リソースは、特定のリソースブロックであり、
前記リソース情報は、前記特定のリソースブロックを示す、
前記（２５）〜（２７）のいずれか１項に記載の通信制御装置。
（２９）
前記制御部は、前記ダウンリンク帯域における、前記リソース情報を含むシステム情報の送信を制御する、前記（２５）〜（２８）のいずれか１項に記載の通信制御装置。
（３０）
前記制御部は、前記ダウンリンク帯域における、個別の端末装置へのシグナリングによる前記リソース情報の送信を制御する、前記（２５）〜（２８）のいずれか１項に記載の通信制御装置。
（３１）
端末装置であって、
ＦＤＤのペア帯域のうちのアップリンク帯域の無線リソースのうちの、装置間通信のために使用可能な無線リソースを示すリソース情報を取得する取得部と、
前記リソース情報に基づいて、前記アップリンク帯域における前記端末装置の装置間通信を制御する制御部と、
を備える端末装置。
（３２）
装置が他の装置と装置間通信を介して通信することを可能にするための情報を示すシステム情報を取得し、
端末装置への前記システム情報の送信を制御するよう構成された回路、
を備える通信制御装置。
（３３）
前記システム情報は、ディスカバリ信号を送信するためのキャリアの情報を含み、前記キャリアは、複数のキャリアからのものであり、
前記複数のキャリアは、１つ以上のダウンリンクキャリアと、１つ以上のアップリンクキャリアとを含み、
前記ディスカバリ信号を送信するための前記キャリアは、前記１つ以上のアップリンクキャリアのいずれかである、
前記（３２）に記載の通信制御装置。
（３４）
前記回路は、複数のコンポーネントキャリアからのコンポーネントキャリアの情報を含むシステム情報の送信を制御する、前記（３２）〜（３３）のいずれか１項に記載の通信制御装置。
（３５）
前記回路は、前記複数のコンポーネントキャリアのうちのダウンリンク信号が送信されるコンポーネントキャリアの各々における前記システム情報の送信を引き起こす、前記（３４）に記載の通信制御装置。
（３６）
前回路は、個別の端末装置へのシグナリングによる前記システム情報の送信を制御する、前記（３２）〜（３５）のいずれか１項に記載の通信制御装置。
（３７）
前記個別の端末装置へのシグナリングにより送信される前記システム情報は、前記個別の端末装置の通信範囲内の端末装置がディスカバリ信号を送信するためのコンポーネントキャリアを示す、前記（３６）に記載の通信制御装置。
（３８）
ディスカバリ信号を送信するためのコンポーネントキャリアは、個別の端末装置により送信され、前記個別の端末装置が前記ディスカバリ信号を送信するための前記コンポーネントキャリアである、前記（３２）〜（３７）のいずれか１項に記載の通信制御装置。
（３９）
前記ディスカバリ信号を送信するための前記キャリアは、基地局により指定されるコンポーネントキャリアである、前記（３３）〜（３８）のいずれか１項に記載の通信制御装置。
（４０）
装置が他の発見された装置と装置間通信を介して通信することを可能にするための情報を示すシステム情報を取得することと、
端末装置への前記システム情報の送信をプロセッサにより制御すること、
を備える通信制御方法。
（４１）
装置が他の装置と装置間通信を介して通信することを可能にするための情報を示すシステム情報を取得し、
前記システム情報に基づいてディスカバリ信号を検出するための検出処理を制御するよう構成された回路、
を備える端末装置。
（４２）
前記回路は、別の端末装置により送信される前記ディスカバリ信号の検出後に、複数のコンポーネントキャリアのうちの、前記別の端末装置により前記ディスカバリ信号が送信されないコンポーネントキャリアに、前記ディスカバリ信号が中継されるように、前記ディスカバリ信号の送信を制御する、前記（４１）に記載の端末装置。
（４３）
前記システム情報は、前記他の装置と通信する際に前記装置により用いられる無線リソースの情報を含む、前記（３２）〜（３９）のいずれか１項に記載の通信制御装置。
（４４）
端末装置のための方法であって、
前記端末装置が他の装置と装置間通信を介して通信することを可能にするための個別の情報を回路により取得することと、
前記個別の情報の基地局への送信を前記回路により制御することと、
を備える方法。
（４５）
装置が他の装置と装置間通信を介して通信することを可能にするための情報を示す情報を取得し、
前記情報に基づいてディスカバリ信号の送信を制御するよう構成された回路、
を備える端末装置。
（４６）
前記ディスカバリ信号は、キャリアアグリゲーションのための複数のコンポーネントキャリアのコンポーネントキャリアで送信される、前記（４５）に記載の端末装置。
（４７）
前記情報は、キャリアアグリゲーションのために用いられる前記複数のコンポーネントキャリアに関する情報を含み、
前記複数のコンポーネントキャリアの各々は、アップリンクコンポーネントキャリアである、前記（４５）〜（４６）のいずれか１項に記載の端末装置。
（４８）
前記ディスカバリ信号は、前記複数のコンポーネントキャリアの各々で送信される、前記（４５）〜（４７）のいずれか１項に記載の端末装置。
（４９）
前記情報は、前記端末装置にとってのプライマリコンポーネントキャリアであるコンポーネントキャリアの指示を含む、前記（４８）に記載の端末装置。
（５０）
前記情報は、アップリンクコンポーネントキャリアであるコンポーネントキャリアの指示を含む、前記（４８）〜（４９）のいずれか１項に記載の端末装置。
（５１）
前記装置は、ＦＤＤ（Frequency  Division  Duplex）システムのペア帯域を介して前記他の装置と通信し、
前記無線リソースは、前記ペア帯域のアップリンク帯域に対応する、前記（４３）に記載の通信制御装置。
【符号の説明】
【０３２２】
１                        通信システム
１０                      セル
１００                    基地局
１５１                    情報取得部
１５３                    通信制御部
２００                    端末装置
２６１、２７１、２８１    情報取得部
２６３、２７３、２８３    通信制御部
【図１】
2016537832.tif 000003
【図２】
2016537832.tif 000004
【図３】
2016537832.tif 000005
【図４】
2016537832.tif 000006
【図５】
2016537832.tif 000007
【図６】
2016537832.tif 000008
【図７】
2016537832.tif 000009
【図８】
2016537832.tif 000010
【図９】
2016537832.tif 000011
【図１０】
2016537832.tif 000012
【図１１】
2016537832.tif 000013
【図１２】
2016537832.tif 000014
【図１３】
2016537832.tif 000015
【図１４】
2016537832.tif 000016
【図１５】
2016537832.tif 000017
【図１６】
2016537832.tif 000018
【図１７】
2016537832.tif 000019
【図１８】
2016537832.tif 000020
【図１９】
2016537832.tif 000021
【図２０】
2016537832.tif 000022
【図２１】
2016537832.tif 000023
【図２２】
2016537832.tif 000024
【図２３】
2016537832.tif 000025
【図２４】
2016537832.tif 000026
【図２５】
2016537832.tif 000027
【図２６】
2016537832.tif 000028
【図２７】
2016537832.tif 000029
【図２８】
2016537832.tif 000030
【国際調査報告】
2016537832.tif 000031
2016537832.tif 000032
2016537832.tif 000033
2016537832.tif 000034
2016537832.tif 000035